(57)【要約】  本発明は、参照信号の伝送方法、ネットワーク機器および端末機器を開示する。当該方法は、第１のセルのネットワーク機器が、前記第１のセルに対応する第１のリソースユニット、および少なくとも１つの第２のセルに対応する少なくとも１つの第２のリソースユニットを決定するステップと、前記ネットワーク機器が、前記第１のリソースユニットおよび前記少なくとも１つの第２のリソースユニットにおいて、時間領域リソースが最大であるリソースユニット、および周波数領域リソースが最大であるリソースユニットを決定するステップと、前記ネットワーク機器が、前記時間領域リソースが最大であるリソースユニットおよび前記周波数領域リソースが最大であるリソースユニットに基づき、参照信号リソースを決定するステップと、前記ネットワーク機器が、前記参照信号リソースにおいて端末機器に参照信号を送信するステップとを含む。これにより、異なるセルの参照信号を伝送するための参照信号リソースを時間領域および周波数領域においてそれぞれアライメントさせることにより、異なる基本パラメータセットに基づく参照信号の伝送という課題を解決することができる。
2019533320.tif 000002
【特許請求の範囲】
【請求項１】
参照信号の伝送方法であって、
第１のセルのネットワーク機器が、第１のセルに対応する第１のリソースユニット、および少なくとも１つの第２のセルに対応する少なくとも１つの第２のリソースユニットを決定するステップを含み、前記第１のリソースユニットの時間−周波数リソースのサイズは、前記少なくとも１つの第２のリソースユニットの時間−周波数リソースのサイズと異なり、
前記ネットワーク機器が、前記第１のリソースユニットおよび前記少なくとも１つの第２のリソースユニットにおいて、時間領域リソースが最大であるリソースユニット、および周波数領域リソースが最大であるリソースユニットを決定するステップと、
前記ネットワーク機器が、前記時間領域リソースが最大であるリソースユニットおよび前記周波数領域リソースが最大であるリソースユニットに基づき、参照信号リソースを決定するステップと、
前記ネットワーク機器が、前記参照信号リソースにおいて端末機器に参照信号を送信するステップとを含む、
ことを特徴とする参照信号の伝送方法。
【請求項２】
前記第１のリソースユニットの時間領域リソースのサイズは、前記第１のセルの使用する基本パラメータセットにおけるシンボル長とサイクリックプレフィックス長との和に等しく、および／または、前記第１のリソースユニットの周波数領域リソースのサイズは、前記第１のセルの使用する基本パラメータセットにおけるサブキャリアの間隔のサイズに等しく、
前記少なくとも１つの第２のリソースユニットにおけるそれぞれの第２のリソースユニットの時間領域リソースのサイズは、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい、
ことを特徴とする請求項１に記載の方法。
【請求項３】
前記ネットワーク機器が、前記時間領域リソースが最大であるリソースユニットおよび前記周波数領域リソースが最大であるリソースユニットに基づき、参照信号リソースを決定する前記ステップは、
前記ネットワーク機器が、前記時間領域リソースが最大であるリソースユニットの時間領域リソースのサイズを前記参照信号リソースの時間領域リソースのサイズとして決定し、前記周波数領域リソースが最大であるリソースユニットの周波数領域リソースのサイズを前記参照信号リソースの周波数領域リソースのサイズとして決定することを含む、
ことを特徴とする請求項１または２に記載の方法。
【請求項４】
前記方法はさらに、
ネットワーク機器が、前記第１のリソースユニットに対応する、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定するステップと、
前記ネットワーク機器が、前記端末機器に前記リソースパラメータを送信するステップとを含む、
ことを特徴とする請求項１〜３のいずれか１項に記載の方法。
【請求項５】
前記方法はさらに、
前記ネットワーク機器が、前記端末機器に前記第１のリソースユニットの時間−周波数リソースの情報、および／または前記少なくとも１つの第２のリソースユニットの時間−周波数リソースの情報を送信するステップを含む、
ことを特徴とする請求項１〜４のいずれか一項に記載の方法。
【請求項６】
前記方法はさらに、
前記ネットワーク機器が、前記参照信号リソースの時間領域における分布周期と、前記参照信号リソースの周波数領域における分布周期とを含む設定情報を決定するステップと、
前記ネットワーク機器が、前記端末機器に前記設定情報を送信するステップとを含む、ことを特徴とする請求項１〜５のいずれか１項に記載の方法。
【請求項７】
前記参照信号は、セル固有参照信号ＣＲＳ、チャネル品質測定用参照信号ＣＳＩ−ＲＳおよび復調用参照信号ＤＭＲＳのうちの少なくとも１種を含む、ことを特徴とする請求項１〜６のいずれか一項に記載の方法。
【請求項８】
前記参照信号は、ゼロ電力参照信号または非ゼロ電力参照信号を含む、ことを特徴とする請求項１〜７のいずれか一項に記載の方法。
【請求項９】
前記方法は、セル間協調送受信ＣｏＭＰに用いられ、前記第２のセルは、前記第１のセルに隣接するセルである、ことを特徴とする請求項１〜８のいずれか１項に記載の方法。
【請求項１０】
参照信号の伝送方法であって、
端末機器が、第１のセルに対応する第１のリソースユニットを決定するステップと、
前記端末機器が前記第１のリソースユニットに基づき、参照信号リソースを決定するステップとを含み、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、
前記端末機器が前記参照信号リソースにおいて、前記第１のセルのネットワーク機器が送信した参照信号を受信するステップを含む、ことを特徴とする参照信号の伝送方法。
【請求項１１】
前記第１のリソースユニットの時間領域リソースのサイズは、前記第１のセルの使用する基本パラメータセットにおけるシンボル長とサイクリックプレフィックス長との和に等しく、および／または、前記第１のリソースユニットの周波数領域リソースのサイズは、前記第１のセルの使用する基本パラメータセットにおけるサブキャリアの間隔のサイズに等しく、
前記少なくとも１つの第２のリソースユニットにおけるそれぞれの第２のリソースユニットの時間領域リソースのサイズは、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい、ことを特徴とする請求項１０に記載の方法。
【請求項１２】
前記端末機器が前記第１のリソースユニットに基づき、参照信号リソースを決定する前に、前記方法はさらに、前記端末機器が、前記ネットワーク機器が送信した前記第１のリソースユニットに対応するリソースパラメータを受信するステップを含み、
前記リソースパラメータは、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含み、
前記端末機器が前記第１のリソースユニットに基づき、参照信号リソースを決定する前記ステップは、前記端末機器が、前記第１のリソースユニットの時間領域リソースのサイズと前記第１の比値との積を前記参照信号リソースの時間領域リソースのサイズとして決定し、前記第１のリソースユニットの周波数領域リソースのサイズと前記第２の比値との積を前記参照信号リソースの周波数領域リソースのサイズとして決定することを含む、
ことを特徴とする請求項１０または１１に記載の方法。
【請求項１３】
端末機器が第１のセルに対応する第１のリソースユニットを決定する前に、前記方法はさらに、前記端末機器が、前記ネットワーク機器が送信した前記少なくとも１つの第２のリソースユニットの時間−周波数リソースの情報を受信するステップを含み、
前記端末機器が前記第１のリソースユニットに基づき、参照信号リソースを決定する前記ステップは、
前記端末機器が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定することと、
前記端末機器が、前記時間領域リソースが最大であるリソースユニットの時間領域リソースのサイズを前記参照信号リソースの時間領域リソースのサイズとして決定し、前記周波数領域リソースが最大であるリソースユニットの周波数領域リソースのサイズを前記参照信号リソースの周波数領域リソースのサイズとして決定することとを含む、
ことを特徴とする請求項１０または１１に記載の方法。
【請求項１４】
前記方法はさらに、前記端末機器が、前記ネットワーク機器が送信した設定情報を受信するステップを含み、前記設定情報は、前記参照信号リソースの時間領域における分布周期と前記参照信号リソースの周波数領域における分布周期とを含み、
前記端末機器が前記参照信号リソースにおいて、ネットワーク機器が送信した参照信号を受信する前記ステップは、前記端末機器が前記設定情報に基づき、周期的に分布する複数の前記参照信号リソースにおいて、前記ネットワーク機器が送信した前記参照信号を受信することを含む、ことを特徴とする請求項１０〜１３のいずれか１項に記載の方法。
【請求項１５】
前記参照信号は、セル固有参照信号ＣＲＳ、チャネル品質測定用参照信号ＣＳＩ−ＲＳおよび復調用参照信号ＤＭＲＳのうちの少なくとも１種を含む、ことを特徴とする請求項１０〜１４のいずれか１項に記載の方法。
【請求項１６】
前記参照信号は、ゼロ電力参照信号または非ゼロ電力参照信号を含む、ことを特徴とする請求項１０〜１５のいずれか１項に記載の方法。
【請求項１７】
前記方法は、セル間協調送受信ＣｏＭＰに用いられ、前記第２のセルは、前記第１のセルに隣接するセルである、ことを特徴とする請求項１０〜１６のいずれか１項に記載の方法法。
【請求項１８】
ネットワーク機器であって、
第１のセルに位置し、決定モジュールと送信モジュールとを含み、
前記決定モジュールは、
前記第１のセルに対応する第１のリソースユニット、および少なくとも１つの第２のセルに対応する少なくとも１つの第２のリソースユニットを決定するのに用いられ、前記第１のリソースユニットの時間−周波数リソースのサイズは、前記少なくとも１つの第２のリソースユニットの時間−周波数リソースのサイズと異なり、
前記第１のリソースユニットおよび前記少なくとも１つの第２のリソースユニットにおいて、時間領域リソースが最大であるリソースユニット、および周波数領域リソースが最大であるリソースユニットを決定するのに用いられ、
前記時間領域リソースが最大であるリソースユニット、および前記周波数領域リソースが最大であるリソースユニットに基づき、参照信号リソースを決定するのに用いられ、
前記送信モジュールは、前記参照信号リソースにおいて端末機器に参照信号を送信するのに用いられる、
ことを特徴とするネットワーク機器。
【請求項１９】
前記第１のリソースユニットの時間領域リソースのサイズは、前記第１のセルの使用する基本パラメータセットにおけるシンボル長とサイクリックプレフィックス長との和に等しく、および／または、前記第１のリソースユニットの周波数領域リソースのサイズは、前記第１のセルの使用する基本パラメータセットにおけるサブキャリアの間隔のサイズに等しく、
前記少なくとも１つの第２のリソースユニットにおけるそれぞれの第２のリソースユニットの時間領域リソースのサイズは、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい、
ことを特徴とする請求項１８に記載のネットワーク機器。
【請求項２０】
前記決定モジュールは具体的に、前記時間領域リソースが最大であるリソースユニットの時間領域リソースのサイズを前記参照信号リソースの時間領域リソースのサイズとして決定し、前記周波数領域リソースが最大であるリソースユニットの周波数領域リソースのサイズを前記参照信号リソースの周波数領域リソースのサイズとして決定するのに用いられる、ことを特徴とする請求項１８または１９に記載のネットワーク機器。
【請求項２１】
前記決定モジュールはさらに、前記第１のリソースユニットに対応するリソースパラメータを決定するのに用いられ、前記リソースパラメータは、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含み、
前記送信モジュールは、前記端末機器に前記リソースパラメータを送信するのに用いられる、
ことを特徴とする請求項１８〜２０のいずれか１項に記載のネットワーク機器。
【請求項２２】
前記送信モジュールはさらに、前記端末機器に、前記第１のリソースユニットの時間−周波数リソースの情報、および／または前記少なくとも１つの第２のリソースユニットの時間−周波数リソースの情報を送信するのに用いられる、ことを特徴とする請求項１８〜２１のいずれか１項に記載のネットワーク機器。
【請求項２３】
前記決定モジュールはさらに、前記参照信号リソースの時間領域における分布周期と、前記参照信号リソースの周波数領域における分布周期とを含む設定情報を決定のに用いられ、
前記送信モジュールはさらに、前記端末機器に前記設定情報を送信するのに用いられる、ことを特徴とする請求項１８〜２２のいずれか１項に記載のネットワーク機器。
【請求項２４】
前記参照信号は、セル固有参照信号ＣＲＳ、チャネル品質測定用参照信号ＣＳＩ−ＲＳおよび復調用参照信号ＤＭＲＳのうちの少なくとも１種を含む、ことを特徴とする請求項１８〜２３のいずれか１項に記載のネットワーク機器。
【請求項２５】
前記参照信号は、ゼロ電力参照信号または非ゼロ電力参照信号を含む、ことを特徴とする請求項１８〜２４のいずれか１項に記載のネットワーク機器。
【請求項２６】
前記ネットワーク機器は、セル間協調送受信ＣｏＭＰに用いられ、前記第２のセルは、前記第１のセルに隣接するセルである、ことを特徴とする請求項１８〜２５のいずれか１項に記載のネットワーク機器。
【請求項２７】
端末機器であって、
決定モジュールと、受信モジュールとを含み、
前記決定モジュールは、
第１のセルに対応する第１のリソースユニットを決定するのに用いられ、
前記第１のリソースユニットに基づき、参照信号リソースを決定するのに用いられ、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、
前記受信モジュールは、前記参照信号リソースにおいて、前記第１のセルのネットワーク機器が送信した参照信号を受信するのに用いられる、
ことを特徴とする端末機器。
【請求項２８】
前記第１のリソースユニットの時間領域リソースのサイズは、前記第１のセルの使用する基本パラメータセットにおけるシンボル長とサイクリックプレフィックス長との和に等しく、および／または、前記第１のリソースユニットの周波数領域リソースのサイズは、前記第１のセルの使用する基本パラメータセットにおけるサブキャリアの間隔のサイズに等しく、
前記少なくとも１つの第２のリソースユニットにおけるそれぞれの第２のリソースユニットの時間領域リソースのサイズは、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい、
ことを特徴とする請求項２７に記載の端末機器。
【請求項２９】
前記決定モジュールが前記第１のリソースユニットに基づき、参照信号リソースを決定する前に、前記受信モジュールはさらに、前記ネットワーク機器が送信する前記第１のリソースユニットに対応するリソースパラメータを受信するのに用いられ、
前記リソースパラメータは、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含み、
前記決定モジュールは具体的に、前記第１のリソースユニットの時間領域リソースのサイズと前記第１の比値の積を前記参照信号リソースの時間領域リソースのサイズとして決定し、前記第１のリソースユニットの周波数領域リソースのサイズと前記第２の比値との積を前記参照信号リソースの周波数領域リソースのサイズとして決定するのに用いられる、
ことを特徴とする請求項２７または２８に記載の端末機器。
【請求項３０】
前記決定モジュールが第１のセルに対応する第１のリソースユニットを決定する前に、前記受信モジュールはさらに、前記ネットワーク機器が送信した前記少なくとも１つの第２のリソースユニットの時間−周波数リソースの情報を受信するのに用いられ、
前記決定モジュールは具体的に、
前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定するのに用いられ、
前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定するのに用いられる、
ことを特徴とする請求項２７または２８に記載の端末機器。
【請求項３１】
前記受信モジュールはさらに、
前記ネットワーク機器が送信した、前記参照信号リソースの時間領域における分布周期と前記参照信号リソースの周波数領域における分布周期とを含む設定情報を受信するのに用いられ、
前記設定情報に基づき、周期的に分布する複数の前記参照信号リソースにおいて、前記ネットワーク機器が送信する前記参照信号を受信するのに用いられる、
ことを特徴とする請求項２７〜３０のいずれか１項に記載の端末機器。
【請求項３２】
前記参照信号は、セル固有参照信号ＣＲＳ、チャネル品質測定用参照信号ＣＳＩ−ＲＳおよび復調用参照信号ＤＭＲＳのうちの少なくとも１種を含む、ことを特徴とする請求項２７〜３１のいずれか１項に記載の端末機器。
【請求項３３】
前記参照信号は、ゼロ電力参照信号または非ゼロ電力参照信号を含む、ことを特徴とする請求項２７〜３２のいずれか１項に記載の端末機器。
【請求項３４】
前記端末機器は、セル間協調送受信ＣｏＭＰに用いられ、前記第２のセルは、前記第１のセルに隣接するセルである、ことを特徴とする請求項２７〜３３のいずれか１項に記載の端末機器。
【発明の詳細な説明】
【技術分野】
【０００１】
本発明の実施形態は、無線通信の分野に関し、詳しく言えば、参照信号の伝送方法、ネットワーク機器および端末機器に関する。
【背景技術】
【０００２】
無線通信システムにおいて、参照信号（Ｒｅｆｅｒｅｎｃｅ  Ｓｉｇｎａｌ、略称ＲＳ）とは、送信装置により送信され、受信装置が受信してチャネルの品質測定を行うための一連の既知信号と言う。例えば、セル間協調送受信（Ｃｏｏｒｄｉｎａｔｅｄ  Ｍｕｌｔｉｐｌｅ  Ｐｏｉｎｔｓ、略称ＣｏＭＰ）をサポートするセルの場合に、端末機器はチャネル品質測定用参照信号（Ｃｈａｎｎｅｌ  Ｓｔａｔｅ  Ｉｎｆｏｒｍａｔｉｏｎ  ＲＳ、略称ＣＳＩ−ＲＳ）などの参照信号を利用して、各セルの信号および干渉強度を測定して基地局に報告する。
【０００３】
ロングタームエボリューション（Ｌｏｎｇ  Ｔｅｒｍ  Ｅｖｏｌｕｔｉｏｎ、略称ＬＴＥ）システムにおいて、異なるセルの端末機器に設定されるＣＳＩ−ＲＳは、時間−周波数リソースの位置においてアライメントされており、すなわち異なる端末機器が受信したチャネルの品質測定を行うためのＣＳＩ−ＲＳが占有する時間−周波数リソースのサイズは同一であり、このため、端末機器はチャネル測定を行う時に、隣接するセルでのデータ伝送により影響されることが避けられる。しかしながら、これから登場する第５世代移動通信（以下、５Ｇと略称する）システムは、さまざまな基本パラメータセットをサポートし、隣接するセルに位置する端末機器がそれぞれ異なる基本パラメータセットを使用する場合には、基本パラメータセットが異なるせいで、ＣＳＩ−ＲＳが占有するリソース要素（Ｒｅｓｏｕｒｃｅ  Ｅｌｅｍｅｎｔ、略称ＲＥ）が時間−周波数位置においてアライメントできなくなる。ＬＴＥシステムにおける従来の方式を利用してＣＳＩ−ＲＳを設定すると、端末機器は、チャネルを測定するプロセスで、隣接するセルでのデータ伝送により干渉されることがある。
【発明の概要】
【発明が解決しようとする課題】
【０００４】
本発明の実施形態は、参照信号の伝送方法、ネットワーク機器および端末機器を提供することにより、如何に異なる基本パラメータセットに基づいて参照信号を伝送するかという課題を解決する。
【課題を解決するための手段】
【０００５】
本発明第１の方面として、参照信号の伝送方法を提供する。第１のセルのネットワーク機器が、前記第１のセルに対応する第１のリソースユニット、および少なくとも１つの第２のセルに対応する少なくとも１つの第２のリソースユニットを決定するステップを含み、前記第１のリソースユニットの時間−周波数リソースのサイズは、前記少なくとも１つの第２のリソースユニットの時間−周波数リソースのサイズと異なり、前記ネットワーク機器は、前記第１のリソースユニットおよび前記少なくとも１つの第２のリソースユニットにおいて、時間領域リソースが最大であるリソースユニット、および周波数領域リソースが最大であるリソースユニットを決定するステップと、前記ネットワーク機器は、前記時間領域リソースが最大であるリソースユニットおよび前記周波数領域リソースが最大であるリソースユニットに基づき、参照信号リソースを決定するステップと、前記ネットワーク機器は、前記参照信号リソースにおいて端末機器に参照信号を送信するステップとを含む。
【０００６】
したがって、異なるセルの使用する異なる基本パラメータセットに基づき、異なるセルの異なるリソースユニットにより、参照信号を伝送するための参照信号リソースを決定して、異なるセルにおける参照信号を伝送するための参照信号リソースを時間領域および周波数領域においてそれぞれアライメントさせることにより、異なる基本パラメータセットに基づく参照信号の伝送という課題を解決することができる。
【０００７】
好ましくは、前記第１のリソースユニットの時間領域リソースのサイズは、前記第１のセルの使用する基本パラメータセットにおけるシンボル長度とサイクリックプレフィックス長度との和に等しく、およびおよび／または、前記第１のリソースユニットの周波数領域リソースのサイズは、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズは、それぞれに対応するセルの使用する基本パラメータセットにおけるシンボル長度とサイクリックプレフィックス長度との和に等しく、およびおよび／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい。
【０００８】
例えば、第１のセルの使用する第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２のセルの使用する第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１のリソースユニット（図３中の左図の陰影部分）の周波数領域リソースのサイズは１５ｋＨｚであり、時間領域リソースのサイズは７１．３６ｕｓであり、第２のリソースユニット（図３中の右図の陰影部分）の周波数領域リソースのサイズは３０ｋＨｚであり、時間領域リソースのサイズは３５．６８ｕｓである。
【０００９】
好ましくは、前記ネットワーク機器が、前記時間領域リソースが最大であるリソースユニットおよび前記周波数領域リソースが最大であるリソースユニットに基づき、参照信号リソースを決定する前記ステップは、前記ネットワーク機器が、前記時間領域リソースが最大であるリソースユニットの時間領域リソースのサイズを前記参照信号リソースの時間領域リソースのサイズとして決定し、前記周波数領域リソースが最大であるリソースユニットの周波数領域リソースのサイズを前記参照信号リソースの周波数領域リソースのサイズとして決定することを含む。
【００１０】
例えば、第１のセルの使用する第１の基本パラメータセットのサブキャリアの間隔は１５ｋＨｚであり、シンボル長は６６．６７ｕｓであり、ＣＰ長は４．６８７ｕｓであり、第２のセルの使用する第２の基本パラメータセットのサブキャリアの間隔は３０ｋＨｚであり、シンボル長は３３．３３ｕｓであり、ＣＰ長は２．３４４ｕｓである。第１のリソースユニットの周波数領域リソースのサイズは１５ｋＨｚであり、時間領域リソースのサイズは７１．３６ｕｓであり、第２のリソースユニットの周波数領域リソースのサイズは３０ｋＨｚであり、時間領域リソースのサイズは３５．６８ｕｓである。したがって、当該参照信号リソースの周波数領域リソースのサイズは３０ｋＨｚであり、時間領域リソースのサイズは７１．３６ｕｓである。または、当該参照信号の周波数領域リソースのサイズは３０ｋＨｚの偶数倍、例えば６０ｋＨｚであってよく、および／または、当該参照信号の時間領域リソースのサイズは７１．３６ｕｓの偶数倍、例えば１４０ｕｓであってよい。
【００１１】
好ましくは、前記方法はさらに、
ネットワーク機器は、前記第１のリソースユニットに対応する、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定するステップと、
前記ネットワーク機器は、前記端末機器に前記リソースパラメータを送信するステップとを含む。
【００１２】
好ましくは、前記方法はさらに、前記ネットワーク機器が、前記端末機器に、前記第１のリソースユニットの時間−周波数リソースの情報、および／または前記少なくとも１つの第２のリソースユニットの時間−周波数リソースの情報を送信するステップを含む。
【００１３】
好ましくは、前記方法はさらに、前記ネットワーク機器が、前記参照信号リソースの時間領域における分布周期と、前記参照信号リソースの周波数領域における分布周期とを含む設定情報を決定するステップと、前記ネットワーク機器が、前記端末機器に前記設定情報を送信するステップとを含む。
【００１４】
好ましくは、前記参照信号は、セル固有参照信号ＣＲＳ、チャネル品質測定用参照信号ＣＳＩ−ＲＳおよび復調用参照信号ＤＭＲＳのうちの少なくとも１種を含む。
【００１５】
本発明の実施例における参照信号は、チャネル品質測定用参照信号ＣＳＩ−ＲＳ、セル固有参照信号ＣＲＳおよび復調用参照信号ＤＭＲＳなどの下りリンク参照信号を伝送するために用いられることができ、またサウンディング参照信号ＳＲＳ、上りリンクＤＭＲＳなどの上りリンク参照信号を伝送するために用いられることもできる。
【００１６】
好ましくは、前記参照信号は、ゼロ電力参照信号または非ゼロ電力参照信号を含む。
【００１７】
第１のセルのある隣接するセルにおけるネットワーク機器が端末機器２０に送信する参照信号が非ゼロ電力参照信号である場合に、端末機器２０は、当該セルの干渉が存在する時のチャネル品質を測定することができ、当該セルのネットワーク機器が端末機器２０に送信する参照信号がゼロ電力参照信号である場合に、端末機器２０は、当該セルの干渉が存在しない時のチャネル品質を測定することができる。
【００１８】
且つ、本発明の実施例における複数のセル間の干渉はさらに、異なる基本パラメータセット間の干渉を含み、本発明の実施例による参照信号の伝送方法は、受信端が異なる基本パラメータセットによる干渉を推定することを助けることもできる。
【００１９】
好ましくは、前記方法がセル間協調送受信ＣｏＭＰに用いられ、前記第２のセルが前記第１のセルに隣接するセルである。
【００２０】
第２の態様として、参照信号の伝送方法を提供する。その特徴は以下のとおりである：端末機器が、第１のセルに対応する第１のリソースユニットを決定するステップと、前記端末機器が前記第１のリソースユニットに基づき、参照信号リソースを決定するステップとを含み、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、前記端末機器が前記参照信号リソースにおいて、前記第１のセルのネットワーク機器が送信する参照信号を受信するステップを含む。
【００２１】
したがって、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【００２２】
好ましくは、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【００２３】
例えば、第１のセルの使用する第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２のセルの使用する第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１のリソースユニット（図３中の左図の陰影部分）の周波数領域リソースのサイズは１５ｋＨｚであり、時間領域リソースのサイズは７１．３６ｕｓであり、第２のリソースユニット（図３中の右図の陰影部分）の周波数領域リソースのサイズは３０ｋＨｚであり、時間領域リソースのサイズは３５．６８ｕｓである。
【００２４】
好ましくは、前記端末機器が前記第１のリソースユニットに基づき、参照信号リソースを決定する前に、前記方法がさらに、前記端末機器が、前記ネットワーク機器が送信する前記第１のリソースユニットに対応し、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含むリソースパラメータを受信するステップを含み、
前記端末機器が前記第１のリソースユニットに基づき、参照信号リソースを決定するステップは、前記端末機器が、前記第１のリソースユニットの時間領域リソースのサイズと前記第１の比値との積を前記参照信号リソースの時間領域リソースのサイズとして決定し、且つ前記第１のリソースユニットの周波数領域リソースのサイズと前記第２の比値との積を前記参照信号リソースの周波数領域リソースのサイズとして決定することを含む。
【００２５】
例えば、第１のリソースユニットの周波数領域リソースのサイズは１５ｋＨｚであり、時間領域リソースのサイズは１／１５ｋＨｚすなわち６６．６７ｕｓであり、ＣＰ長は４．６８７ｕｓであり、第２のリソースユニットの周波数領域リソースのサイズは３０ｋＨｚであり、時間領域リソースのサイズは１／３０ｋＨｚすなわち３３．３３ｕｓであり、ＣＰ長は２．３４４ｕｓである。当該第１の比値がＭであり、当該第２の比値がＮであり、ネットワーク機器１０が決定した当該参照信号リソースの周波数領域リソースのサイズが３０ｋＨｚであり、時間領域リソースのサイズが７１．３６ｕｓであるとした場合に、当該第１のリソースユニットに対応するリソースパラメータとして、Ｍ＝３０ｋＨｚ／１５ｋＨｚ＝２であり、Ｎ＝７１．３６ｕｓ／７１．３６ｕｓ＝１である。ネットワーク機器１０が端末機器２０に送信する当該第１のリソースユニットに対応するリソースパラメータはＭ＝２、Ｎ＝１である。端末機器２０は、ネットワーク機器１０が送信する当該リソースパラメータを受信した後に、第１のリソースユニットの周波数領域リソースのサイズである１５ｋＨｚと時間領域リソースのサイズである７１．３６ｕｓ、およびＭ＝２とＮ＝１に基づき、当該参照信号リソースの周波数領域リソースのサイズを１５ｋＨｚ×２＝３０ｋＨｚ、時間領域リソースのサイズを７１．３６ｕｓ×１＝７１．３６ｕｓに決定する。なお、ネットワーク機器１０が端末機器２０に送信する当該第１のリソースユニットに対応するリソースパラメータは、Ｍ＝４×ｎ、Ｎ＝２×ｍ等とすることもでき、ｎおよびｍはともに偶数である。
【００２６】
なお、当該実施例では、当該リソースパラメータはさらに、当該参照信号リソースの時間領域リソースのサイズと当該第１のリソースユニットの時間領域リソースのサイズとの差値、および当該参照信号リソースの周波数領域リソースのサイズと当該第１のリソースユニットの周波数領域リソースのサイズとの差値を含んでもよい。
【００２７】
または、当該リソースパラメータはさらに、当該参照信号リソースの時間領域リソースのサイズと当該第１のリソースユニットの時間領域リソースのサイズの関係を明瞭に表示可能なその他のパラメータ、および当該参照信号リソースの周波数領域リソースのサイズと当該第１のリソースユニットの周波数領域リソースのサイズの関係を明瞭に表示可能なその他のパラメータを含んでもよい。
【００２８】
好ましくは、端末機器が第１のセルに対応する第１のリソースユニットを決定する前に、前記方法がさらに、前記端末機器が、前記ネットワーク機器が送信する前記少なくとも１つの第２のリソースユニットの時間−周波数リソースの情報を受信するステップを含み、
前記端末機器が前記第１のリソースユニットに基づき、参照信号リソースを決定する前記ステップは、前記端末機器が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定することと、前記端末機器が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定することとを含む。
【００２９】
例えば、互いに隣接するｎ個のセルが存在し、ｎ個の基本パラメータセットに対応し、これらｎ個の基本パラメータセットにおける少なくとも２つの基本パラメータセットは異なり、対応するサブキャリア幅（ｓｕｂｃａｒｒｉｅｒ  ｓｐａｃｉｎｇ）、およびシンボル長とサイクリックプレフィックス長との和がそれぞれ（Ｆ１，Ｔ１）、（Ｆ２，Ｔ２）…（Ｆｎ，Ｔｎ）である場合に、ステップ４５０の形態２において、端末機器２０が決定する参照信号リソースの周波数領域リソースのサイズおよび時間領域リソースのサイズはそれぞれ、Ｆ（ＣＳＩ−ＲＳ）＝Ｍａｘ（Ｆ１…Ｆｎ）、Ｔ（ＣＳＩ−ＲＳ）＝Ｍａｘ（Ｔ１…Ｔｎ）という関係を満たす。ここで、Ｆ（ＣＳＩ−ＲＳ）は参照信号リソースの周波数領域の幅であり、Ｔ（ＣＳＩ−ＲＳ）は参照信号リソースの時間領域の幅であり、Ｍａｘ（ｘ）は挙げられるパラメータのうちの最大値である。上記の関係により、ネットワーク機器１０は、セルエッジにおける端末機器２０が測定すべき異なるリソースユニットの時間−周波数リソース情報のリストをブロードキャストするだけで、端末機器２０が上記の関係に基づき参照信号リソースの時間−周波数リソースを推定することができる。
【００３０】
好ましくは、前記方法がさらに、前記端末機器が、前記ネットワーク機器が送信する、前記参照信号リソースの時間領域における分布周期と前記参照信号リソースの周波数領域における分布周期とを含む設定情報を受信するステップを含み、
前記端末機器が前記参照信号リソースにおいて、ネットワーク機器が送信する参照信号を受信する前記ステップは、前記端末機器が前記設定情報に基づき、周期的に分布する複数の前記参照信号リソースにおいて、前記ネットワーク機器が送信する前記参照信号を受信することを含む。
【００３１】
好ましくは、前記参照信号がセル固有参照信号ＣＲＳ、チャネル品質測定用参照信号ＣＳＩ−ＲＳおよび復調用参照信号ＤＭＲＳのうちの少なくとも１種を含む。
【００３２】
好ましくは、前記参照信号がゼロ電力参照信号または非ゼロ電力参照信号を含む。
【００３３】
好ましくは、前記方法がセル間協調送受信ＣｏＭＰに用いられ、前記第２のセルが前記第１のセルに隣接するセルである。
【００３４】
第３の態様として、前記第１の態様および第１の態様の各種実施形態による参照信号の伝送方法におけるネットワーク機器により実行される各プロセスを実行するためのネットワーク機器を提供する。当該ネットワーク機器は、決定モジュールと、送信モジュールとを含み、前記決定モジュールは、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、前記第１のリソースユニットおよび前記少なくとも１つの第２のリソースユニットにおいて、時間領域リソースが最大であるリソースユニット、および周波数領域リソースが最大であるリソースユニットを決定し、前記時間領域リソースが最大であるリソースユニット、および前記周波数領域リソースが最大であるリソースユニットに基づき、参照信号リソースを決定し、前記送信モジュールは、前記参照信号リソースにおいて端末機器に参照信号を送信する。
【００３５】
第４の態様として、前記第１の態様および第１の態様の各種実施形態による参照信号の伝送方法におけるネットワーク機器により実行される各プロセスを実行するためのネットワーク機器を提供する。当該ネットワーク機器は、プロセッサと、受送信機とを含み、前記プロセッサは、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、前記第１のリソースユニットおよび前記少なくとも１つの第２のリソースユニットにおいて、時間領域リソースが最大であるリソースユニット、および周波数領域リソースが最大であるリソースユニットを決定し、前記時間領域リソースが最大であるリソースユニット、および前記周波数領域リソースが最大であるリソースユニットに基づき、参照信号リソースを決定し、前記受送信機は、前記参照信号リソースにおいて端末機器に参照信号を送信する。
【００３６】
第５の態様として、前記第２の態様および第２の態様の各種実施形態による参照信号の伝送方法における端末機器により実行される各プロセスを実行するための端末機器を提供する。当該端末機器は、決定モジュールと、受信モジュールとを含み、前記決定モジュールは、第１のセルに対応する第１のリソースユニットを決定し、前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、前記送信モジュールは、前記参照信号リソースにおいて、前記第１のセルのネットワーク機器が送信する参照信号を受信する。
【００３７】
第６の態様として、前記第２の態様および第２の態様の各種実施形態による参照信号の伝送方法における端末機器により実行される各プロセスを実行するための端末機器を提供する。当該端末機器は、プロセッサと、受送信機とを含み、前記プロセッサは、第１のセルに対応する第１のリソースユニットを決定し、前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、受送信機は、前記参照信号リソースにおいて、前記第１のセルのネットワーク機器が送信する参照信号を受信する。
【００３８】
第７の態様として、ネットワーク機器に上記第１の態様、および第１の態様の各種実施形態によるデータ伝送方法のいずれかを実行させるためのプログラムが記憶されるコンピュータ読み取り可能な記憶媒体を提供する。
【００３９】
第８の態様として、端末機器に上記第２の態様、および第２の態様の各種実施形態によるデータ伝送方法のいずれかを実行させるためのプログラムが記憶されるコンピュータ読み取り可能な記憶媒体を提供する。
【発明の効果】
【００４０】
本発明の実施例による方法において、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【図面の簡単な説明】
【００４１】
本願の実施例に係る発明を明瞭に説明するために、本項では、実施例に用いる図面を簡単に説明する。当然ながら、以下の説明に係る図面は、本発明の一部の実施例に過ぎず、当業者であれば、創造的な作業を行うことなく、これらの図面からその他の図面を得ることもできる。
【図１】本発明の実施例における一つの応用場面の概略図である。
【図２（ａ）】従来技術におけるセルの干渉が存在する時にＣＳＩ−ＲＳに基づきチャネルの品質測定を行うことの概略図である。
【図２（ｂ）】従来技術におけるセルの干渉が存在する時にＣＳＩ−ＲＳに基づきチャネルの品質測定を行うことの概略図である。
【図３】異なる基本パラメータセットが存在する時の、参照信号の伝送に与える影響を示す概略図である。
【図４】本発明の実施例による参照信号の伝送方法のフローチャートである。
【図５】本発明の実施例による異なる基本パラメータセットに基づく参照信号リソースの概略図である。
【図６】本発明の実施例における参照信号の決定のフローチャートである。
【図７】本発明の別の実施例における参照信号の決定のフローチャートである。
【図８】本発明の実施例によるネットワーク機器の構造を示すブロック図である。
【図９】本発明の実施例によるネットワーク機器の構造を示すブロック図である。
【図１０】本発明の実施例におけるシステムチップの構造を示す概略図である。
【図１１】本発明の実施例による端末機器の構造を示すブロック図である。
【図１２】本発明の実施例による端末機器の構造を示すブロック図である。
【図１３】本発明の実施例によるシステムチップの構造を示す概略図である。
【発明を実施するための形態】
【００４２】
本項では、本発明の実施例における図面を参照しながら、実施例による発明を明瞭でかつ完全に説明する。当然ながら、説明される実施例は、本発明の全ての実施例ではなく、その一部に過ぎない。当業者がこれらの実施例に基づき、創造的な作業を行うことなく得られるその他の全ての実施例は、いずれも本発明の保護範囲に含まれる。
【００４３】
本願の実施例に係る発明は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）等既存の通信システム、５Ｇシステムなどさまざまな通信システムに用いることができる。
【００４４】
本発明の実施例による端末機器は、ユーザ機器（Ｕｓｅｒ  Ｅｑｕｉｐｍｅｎｔ、略称ＵＥ）、アクセス端末、ユーザユニット、加入者局、移動局、遠隔局、遠隔端末、移動機器、ユーザ端末、端末、無線通信機器、ユーザ代理機器、またはユーザ機器とすることができる。そのうちアクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線通信機能を備えるハンドヘルド機器、コンピューティング機器、無線モデムに接続されるその他の処理機器、車載機器、ウェアラブル端末、５Ｇネットワークにおいて動作する端末機器または地上波公共移動通信ネットワーク（Ｐｕｂｌｉｃ  Ｌａｎｄ  Ｍｏｂｉｌｅ  Ｎｅｔｗｏｒｋ、略称ＰＬＭＮ）において動作する端末機器等とすることができる。
【００４５】
本発明の実施例によるネットワーク機器は、端末機器と通信するための機器とすることができる。当該ネットワーク機器は、ＧＳＭもしくはＣＤＭＡにおいて動作する基地局（Ｂａｓｅ  Ｔｒａｎｓｃｅｉｖｅｒ  Ｓｔａｔｉｏｎ、略称ＢＴＳ）、ＷＣＤＭＡシステムにおいて動作する基地局（ＮｏｄｅＢ、略称ＮＢ）、ＬＴＥシステムにおいて動作する進化型基地局（Ｅｖｏｌｕｔｉｏｎａｌ  ＮｏｄｅＢ、略称ｅＮＢまたはｅＮｏｄｅＢ）、またはクラウド無線アクセスネットワーク（Ｃｌｏｕｄ  Ｒａｄｉｏ  Ａｃｃｅｓｓ  Ｎｅｔｗｏｒｋ、略称ＣＲＡＮ）において動作する無線コントローラとすることができ、中継局、アクセスポイント、車載機器、ウェアラブル端末および５Ｇネットワーク対応のネットワーク機器またはＰＬＭＮネットワークにおいて動作するネットワーク機器等とすることもできる。
【００４６】
図１は、本発明の実施例における一つの応用場面の概略図である。図１に示す場面は、例えばセル間協調送受信（Ｃｏｏｒｄｉｎａｔｅｄ  Ｍｕｌｔｉｐｌｅ  Ｐｏｉｎｔｓ、略称ＣｏＭＰ）システムとすることができる。図１によると、当該場面は、ネットワーク機器１０と、ネットワーク機器１０がカバーするセルエッジに位置する端末機器２０と、ネットワーク機器３０と、ネットワーク機器３０がカバーするセル内に位置する端末機器４０とを含む。そのうち、ネットワーク機器１０がカバーするセルは第１のセルであり、ネットワーク機器３０がカバーするセルは第２のセルであり、第１のセルエッジの端末機器２０および第２のセル内の端末機器４０がデータを伝送する時に使用する基本パラメータセットは異なってもよい。以下、ネットワーク機器１０および端末機器２０を例として説明する。端末機器２０は、ネットワーク機器１０およびネットワーク機器３０が送信する参照信号を同時に受信し、且つ受信した参照信号に基づきチャネル測定を行うことができる。例えば、端末機器２０は、第２のセルの干渉が存在する時のチャネル品質を測定するか、または第２のセルの干渉が存在しない時のチャネル品質を測定することができる。
【００４７】
なお、図１に示す例は、当業者が本発明の実施例の理解を可能にするためのものに過ぎず、本発明の実施例の範囲を限定するものではない。例えば、図１では、２つのネットワーク機器および１つの端末機器のみを示しているが、本発明の実施例におけるネットワーク機器および端末機器の数はこれに限定されず、それぞれのネットワーク機器がカバーするセル内により多くの数の端末機器が存在してもよく、同一の端末機器にデータサービスを提供するより多くのネットワーク機器が存在してもよい。また例えば、本発明の実施例による方法は、セル間協調送受信ＣｏＭＰ通信に用いるが、当然ながら、それ以外の如何なる通信システムに用いることもでき、本発明は、これについて特に限定しない。以下、ＣｏＭＰ通信を例として、図１を参照しながら説明する。
【００４８】
ＬＴＥシステムにおいて、セル固有参照信号（Ｃｅｌｌ  Ｓｐｅｃｉｆｉｃ  ＲＳ、略称ＣＲＳ）、チャネル品質測定用参照信号（Ｃｈａｎｎｅｌ  Ｓｔａｔｅ  Ｉｎｆｏｒｍａｔｉｏｎ  ＲＳ、略称ＣＳＩ−ＲＳ）および復調用参照信号（Ｄｅｍｏｄｕｌａｔｉｏｎ  ＲＳ、略称ＤＭＲＳ）の３種類の下りリンク参照信号が存在する。そのうち、ＣＲＳおよびＣＳＩ−ＲＳは、セル内にブロードキャストされる共通参照信号であり、主には端末機器がチャネル品質（Ｃｈａｎｎｅｌ  Ｓｔａｔｅ  Ｉｎｆｏｒｍａｔｉｏｎ、略称ＣＳＩ）を測定するために用いる。ＬＴＥシステムでは、端末機器がＣＲＳまたはＣＳＩ−ＲＳに基づきチャネル品質を測定し、ネットワーク機器に周期的または非周期的にチャネル品質を報告することができる。
【００４９】
ＣＳＩ−ＲＳを例とすると、例えばＣｏＭＰをサポートするセルの場合に、端末機器はＣＳＩ−ＲＳを利用して各セルの信号および干渉の強度を測定し、且つネットワーク機器に報告する。端末機器がセルエッジに位置する時に、ネットワーク機器は端末機器において非ゼロ電力ＣＳＩ−ＲＳ（ｎｏｎ−ｚｅｒｏ−ｐｏｗｅｒ  ＣＳＩ−ＲＳ）およびゼロ電力ＣＳＩ−ＲＳ（ｚｅｒｏ−ｐｏｗｅｒ  ＣＳＩ−ＲＳ）を設定することにより、端末機器が異なるセルからの信号干渉について正確に測定することができる。図２（ａ）および図２（ｂ）はそれぞれ、セル干渉が存在する時にＣＳＩ−ＲＳに基づきチャネル測定を行うことの概略図である。図２（ａ）に示すとおりにＣＳＩ−ＲＳを設定する場合に、第１のセルの端末機器は第３のセルの干渉が存在する時の第１のセルのチャネル品質を測定し、第２のセルの端末機器はゼロ電力ＣＳＩ−ＲＳにおいて第１のセルおよび第３のセルの干渉が存在する時のチャネル品質を測定し、第３のセルの端末機器は第１のセルの干渉が存在する時のチャネル品質を測定することができる。図２（ｂ）に示すとおりにＣＳＩ−ＲＳを設定する場合に、第１のセルの端末機器は隣接するセルの干渉が存在しない時の第１のセルのチャネル品質を測定し、第２のセルおよび第３のセルの端末はゼロ電力ＣＳＩ−ＲＳにおいて第１のセルの干渉が存在する時のチャネル品質を測定することができる。
【００５０】
ＬＴＥシステムにおいて、異なるセルの端末機器に設定されるＣＳＩ−ＲＳは、時間−周波数位置においてアライメントされるため、端末機器がチャネル品質を測定する時に、隣接するセルでのデータ伝送により影響を受けることが避けられる。これから登場する５Ｇシステムはさまざまな基本パラメータセットをサポートし、隣接するセルに位置する端末機器がそれぞれ異なる基本パラメータセットを使用する場合に、基本パラメータセットが異なるため、ＣＳＩ−ＲＳが占有するリソース元素（Ｒｅｓｏｕｒｃｅ  Ｅｌｅｍｅｎｔ、略称ＲＥ）は、時間−周波数位置においてアライメントすることができない。例えば、図３は、異なる基本パラメータセットが存在する時の、参照信号の伝送に与える影響を示す。図３によると、サブキャリアの間隔を例とする場合に、第１のセルの端末機器の使用する基本パラメータセットにおけるサブキャリアの間隔は１５ｋＨｚであり、第２のセルの端末機器の使用する基本パラメータセットにおけるサブキャリアの間隔は３０ｋＨｚであり、ＬＴＥシステムにおける従来の方式によりＣＳＩ−ＲＳを設定すると、端末機器がセルのチャネル品質を測定するプロセスで隣接するセルでのデータ伝送により干渉を受けることになる。
【００５１】
本発明の実施例では、ネットワーク機器が端末機器の使用する基本パラメータセットに基づき、参照信号を伝送するための時間−周波数リソースを設定することにより、端末機器が参照信号を受信する時に、その他の基本パラメータセットに基づくデータ伝送により影響を受けることが避けられる。
【００５２】
なお、本発明の実施例で隣接するセルとは、異なるセルにおける各セルがカバーする範囲が一部重畳すること、または異なるセル間に、その他のセルでの信号伝送に干渉を与えるのに十分な距離があることを言うが、本発明はこれについて限定しない。さらに、本発明の実施例による方法は、如何なる通信場面でも用いることができ、参照信号の伝送に係るセルは如何なるセルとすることもできる。特に、ＣｏＭＰ伝送に用いる場合に、参照信号の伝送に係る異なるセルは、隣接するセルとすることもできる。
【００５３】
図４は、本発明の実施例による参照信号の伝送方法のフローチャートである。図４には、第１のセルのネットワーク機器１０および端末機器２０が示される。図４によると、当該参照信号の伝送のプロセスは、ステップ４１０〜ステップ４３０を含む。
【００５４】
ステップ４１０：第１のセルのネットワーク機器１０が、第１のセルに対応する第１のリソースユニット、および少なくとも１つの第２のセルに対応する少なくとも１つの第２のリソースユニットを決定する。
【００５５】
当該第２のセルは当該第１のセルに隣接するセルであり、当該第１のリソースユニットの時間−周波数リソースのサイズは、当該少なくとも１つの第２のリソースユニットの時間−周波数リソースのサイズと異なる。
【００５６】
具体的には、５Ｇシステムにおいて、異なるセルのリソースユニット（Ｒｅｓｏｕｒｃｅ  Ｂｌｏｃｋ、略称ＲＥ）は異なってもよい。第１のセルに隣接する全てのセルでは、少なくとも一部のセルのリソースユニットが第１のセルのリソースユニットと異なり、当該少なくとも１つの第２のセルが第１のセルのリソースユニットと異なるセルである。本発明の実施例では、当該第１のセルおよび少なくとも１つの第２のセルを例として説明し、前記第１のセルのリソースユニットが隣接するセルのリソースユニットと同一である場合に、本発明の実施例の方法により実施するか、または従来技術に基づく方法により実施することもできるが、本発明はこれについて限定しない。
【００５７】
好ましくは、当該第１のリソースユニットの時間領域リソースのサイズが、当該第１のセルの使用する基本パラメータセットにおけるシンボル長とサイクリックプレフィックス長との和に等しく、および／または、当該第１のリソースユニットの周波数領域リソースのサイズが、当該第１のセルの使用する基本パラメータセットにおけるサブキャリアの間隔のサイズに等しく、
当該少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、当該少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【００５８】
例えば、図１には第１のセル、および少なくとも１つの第２のセルにおける任意の第２のセルだけが示される。端末機器２０は、第１のセルエッジに位置する端末機器であり、当該第２のセルは第１のセルに隣接するセルであり、端末機器２０は第１のセルのネットワーク機器１０および第２のセルのネットワーク機器３０が送信する参照信号を同時に受信し、且つ受信した参照信号に基づきチャネル測定を行うことができる。なお、第１のセルに設定されるデータを伝送するための基本パラメータセットは第１の基本パラメータセットであり、第２のセルに設定されるデータを伝送するための基本パラメータセットは第２の基本パラメータセットであり、且つ当該第１の基本パラメータセットと当該第２の基本パラメータセットは異なる。さらに、当該第１の基本パラメータセットおよび第２の基本パラメータセットはそれぞれ、サブキャリアの間隔、またはシンボル長およびサイクリックプレフィックス長を含み、且つこの３つのパラメータにおける少なくとも１つのパラメータが異なる。
【００５９】
具体的には、第１のセルに位置する端末機器がネットワーク機器１０とデータ交換を行うプロセスで、第１の基本パラメータセットを使用して、第１の基本パラメータセットにおけるパラメータ、例えばサブキャリアの間隔、またはシンボル長およびサイクルプレフィックス（Ｃｙｃｌｉｃ  Ｐｒｅｆｉｘ、略称ＣＰ）長によりデータの伝送を行うことができる。この時に、当該第２のセルに位置する端末機器４０がネットワーク機器３０とデータ伝送を行うために使用する基本パラメータセットは第２の基本パラメータセットである。当該第２の基本パラメータセットは、第１の基本パラメータセットと異なる基本パラメータセットである。例えば、シンボル長とサイクルプレフィックスＣＰ長との和が異なり、および／またはサブキャリアの間隔が異なる。したがって、第１の基本パラメータセットを使用する第１のセルの第１のリソースユニットは、第２の基本パラメータセットを使用する第２のセルの第２のリソースユニットと異なるリソースユニットであり、第１のリソースユニットの時間−周波数リソースのサイズは第２のリソースユニットの時間−周波数リソースのサイズと異なる。例えば、図３に示すように、第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１の基本パラメータセットを使用するセルの第１のリソースユニット（図３中の左図の陰影部分）の周波数領域リソースのサイズは１５ｋＨｚであり、時間領域リソースのサイズは７１．３６ｕｓであり、第２の基本パラメータセットを使用するセルの第２のリソースユニット（図３中の右図の陰影部分）の周波数領域リソースのサイズは３０ｋＨｚであり、時間領域リソースのサイズは３５．６８ｕｓである。
【００６０】
ステップ４２０：ネットワーク機器１０が、当該第１のリソースユニットおよび当該少なくとも１つの第２のリソースユニットにおいて、時間領域リソースが最大であるリソースユニット、および周波数領域リソースが最大であるリソースユニットを決定する。
【００６１】
具体的には、ネットワーク機器１０が、当該第１のリソースユニットおよび当該少なくとも１つの第２のリソースユニットにおいて、時間領域リソースが最大であるリソースユニット、および周波数領域リソースが最大であるリソースユニットを決定することにより、時間領域リソースが最大であるリソースユニットおよび周波数領域リソースが最大であるリソースユニットに基づき、参照信号リソースを決定することができる。
【００６２】
ステップ４３０：ネットワーク機器１０が、当該時間領域リソースが最大であるリソースユニット、および当該周波数領域リソースが最大であるリソースユニットに基づき、参照信号リソースを決定する。
【００６３】
具体的には、ネットワーク機器１０が、当該第１のリソースユニットおよび当該少なくとも１つの第２のリソースユニットにおいて、時間領域リソースが最大であるリソースユニット、および周波数領域リソースが最大であるリソースユニットを決定し、且つ当該時間領域リソースが最大であるリソースユニット、および当該周波数領域リソースが最大であるリソースユニットに基づき、参照信号を伝送するための当該参照信号リソースを決定する。
【００６４】
なお、当該参照信号リソースの時間領域リソースのサイズは、当該第１のリソースユニットおよび少なくとも１つの第２のリソースユニットにおける時間領域リソースが最大であるリソースユニットの時間領域リソースのサイズに等しく、または当該時間領域リソースが最大であるリソースユニットの時間領域リソースのサイズの偶数倍に等しく、当該参照信号リソースの周波数領域リソースのサイズは、第１のリソースユニットおよび少なくとも１つの第２のリソースユニットにおける周波数領域リソースが最大であるリソースユニットの周波数領域リソースのサイズに等しく、または周波数領域リソースが最大であるリソースユニットの周波数領域リソースのサイズの偶数倍に等しく、当該少なくとも１つの第２のリソースユニットは少なくとも１つの第２のセルに対応するリソースユニットである。
【００６５】
好ましくは、前記ネットワーク機器が、前記時間領域リソースが最大であるリソースユニットおよび前記周波数領域リソースが最大であるリソースユニットに基づき、参照信号リソースを決定する前記ステップは、前記ネットワーク機器が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定することを含む。
【００６６】
具体的には、第１のリソースユニットおよび少なくとも１つの第２のリソースユニットにおいて第１のリソースユニットの時間領域リソースがより大きい場合に、当該参照信号リソースの時間領域リソースのサイズは、当該第１のリソースユニットの時間領域リソースのサイズに等しく、または当該第１のリソースユニットの時間領域リソースのサイズの偶数倍に等しい。第１のリソースユニットおよび少なくとも１つの第２のリソースユニットにおいて少なくとも１つの第２のリソースユニットにおけるある第２のリソースユニットの時間領域リソースが最大である場合に、当該参照信号リソースの時間領域リソースのサイズは、当該時間領域リソースが最大である第２のリソースユニットの時間領域リソースのサイズに等しく、または当該時間領域リソースが最大である第２のリソースユニットの時間領域リソースのサイズの偶数倍に等しい。同様に、第１のリソースユニットおよび少なくとも１つの第２のリソースユニットにおいて第１のリソースユニットの周波数領域リソースがより大きい場合に、当該参照信号リソースの周波数領域リソースのサイズは、当該第１のリソースユニットの周波数領域リソースのサイズに等しく、または当該第１のリソースユニットの周波数領域リソースのサイズの偶数倍に等しい。第１のリソースユニットおよび少なくとも１つの第２のリソースユニットにおいて少なくとも１つの第２のリソースユニットにおけるある第２のリソースユニットの周波数領域リソースがより大きい場合に、当該参照信号リソースの周波数領域リソースのサイズは、当該周波数領域リソースが最大である第２のリソースユニットの周波数領域リソースのサイズに等しく、または当該周波数領域リソースが最大である第２のリソースユニットの周波数領域リソースのサイズの偶数倍に等しい。
【００６７】
例えば、図５は、本発明の実施例による異なる基本パラメータセットに基づく参照信号リソースの概略図を示す。図５には、第１のセルおよび少なくとも１つのセルにおける任意の第２のセルの参照信号リソースだけが示される。第１のセルは、第１の基本パラメータセットを使用してデータの伝送を行い、当該第２のセルは、第２の基本パラメータセットを使用してデータの伝送を行う。第１の基本パラメータセットのサブキャリアの間隔は１５ｋＨｚであり、シンボル長は６６．６７ｕｓであり、ＣＰ長は４．６８７ｕｓであり、第２の基本パラメータセットのサブキャリアの間隔は３０ｋＨｚであり、シンボル長は３３．３３ｕｓであり、ＣＰ長は２．３４４ｕｓである。ネットワーク機器１０が第１の基本パラメータセットに基づき決定した第１のリソースユニットの周波数領域リソースのサイズは１５ｋＨｚであり、時間領域リソースのサイズは７１．３６ｕｓであり、第２の基本パラメータセットに基づき決定した第２のリソースユニットの周波数領域リソースのサイズは３０ｋＨｚであり、時間領域リソースのサイズは３５．６８ｕｓである。以上から分かるように、第２のリソースユニットの周波数領域リソースのサイズが第１のリソースユニットの周波数領域リソースのサイズより大きいため、当該参照信号リソースの周波数領域リソースのサイズは、第２のリソースユニットの周波数領域リソースのサイズに等しい。第１のリソースユニットの時間領域リソースのサイズが第２のリソースユニットの時間領域リソースのサイズより大きいため、当該参照信号リソースの時間領域リソースのサイズは、第１のリソースユニットの時間領域リソースのサイズに等しい。図５に示すように、当該参照信号リソースの周波数領域リソースのサイズは３０ｋＨｚであり、時間領域リソースのサイズは７１．３６ｕｓである。または、当該参照信号の周波数領域リソースのサイズは、３０ｋＨｚの偶数倍、例えば６０ｋＨｚであり、および／または当該参照信号の時間領域リソースのサイズは、７１．３６ｕｓの偶数倍、例えば１４２．７２ｕｓである。
【００６８】
言い換えれば、第１のセルにおける参照信号を伝送するための参照信号リソースは、第２のセルにおける参照信号を伝送するための参照信号リソースと同一であり、すなわち時間−周波数域においてアライメントされるように、当該参照信号リソースの時間−周波数リソースのサイズは、少なくとも１つの第１のリソースユニットの時間−周波数リソースのサイズに等しく、且つ少なくとも１つの第２のリソースユニットの時間−周波数リソースのサイズに等しくすべきである。
【００６９】
なお、ここでシンボル長とサイクリックプレフィックス長との和とは、同一の基本パラメータセットにおけるシンボル長およびサイクルプレフィックスに対して言うものであり、且つ異なる基本パラメータセットにおけるＣＰ長が当該基本パラメータセットにおけるシンボル長に占める割合は、一定とすることができる。例えば、基本パラメータセットにおけるＣＰ長がシンボル長の約７％であり、第１の基本パラメータセットのシンボル長が６６．６７である場合に、ＣＰ長は４．６８７であり、第１の基本パラメータセットに対応する第１のリソースユニットの時間領域リソースのサイズは７１．３６ｕｓである。第２の基本パラメータセットのシンボル長が３３．３３である場合に、ＣＰ長は２．３４４ｕｓであり、第２の基本パラメータセットに対応する第２のリソースユニットの時間領域リソースのサイズは３５．６８ｕｓである。当然ながら、異なる基本パラメータセットにおけるＣＰ長が当該基本パラメータセットにおけるシンボル長に占める割合は、実際の状況に応じて決定することもでき、ただしサブフレーム長が１ｍｓであるということを満たせばよい。
【００７０】
なお、ここで図１に示す第１のセルに干渉を与える任意の第２のセルを例として説明するが、本発明の実施例の方法は複数のセル間において参照信号を伝送するために用いることもできる。例えば、互いに隣接する第１のセル、第２のセルおよび第３のセルが存在する場合に、ステップ４３０でネットワーク機器１０が、これら３つのセルにそれぞれ対応する３つのリソースユニットにおける時間領域リソースが最大であるリソースユニットの時間領域リソースのサイズを当該参照信号リソースの時間領域リソースのサイズとして決定し、且つこれら３つのリソースユニットにおける周波数領域リソースが最大であるリソースユニットの周波数領域リソースのサイズを当該参照信号リソースの周波数領域リソースのサイズとして決定する。これにより、これら３つのセルのネットワーク機器は、当該参照信号リソースにおいて同時に端末機器２０に参照信号を送信することにより、端末機器２０がこれら参照信号に基づきその時のチャネル品質を測定することができる。
【００７１】
ステップ４４０：ネットワーク機器１０が、当該参照信号リソースにおいて端末機器２０に参照信号を送信する。
【００７２】
ネットワーク機器が参照信号リソースを決定した後に、当該参照リソースにおいて端末機器２０に参照信号を送信する。これと同時に、その他のセルのネットワーク機器、例えば第２のセルのネットワーク機器３０が端末機器２０に参照信号を送信することもできる。ＣｏＭＰをサポートするセルの場合に、第２のセルは第１のセルに隣接するセルとすることができる。この場合に、端末機器２０はネットワーク機器１０およびネットワーク機器３０が送信する参照信号を同時に受信することにより、当該参照信号を利用して各セルからの参照信号および干渉の強度を測定することができる。例えば、図５に示すように、第１のセルエッジの端末機器２０は第２のセルの干渉が存在する時のチャネル品質を測定することができる。
【００７３】
端末機器２０は、ネットワーク機器１０が送信する参照信号を受信するために、当該参照信号を受信するための参照信号リソースを決定する必要もある。
【００７４】
ステップ４５０：端末機器２０が第１のセルに対応する第１のリソースユニットを決定する。
【００７５】
なお、当該第１のリソースユニットの時間−周波数リソースは、少なくとも１つの第２のリソースユニットの時間−周波数リソースのサイズと異なり、当該少なくとも１つの第２のリソースユニットは、少なくとも１つの第２のセルの使用する少なくとも１つの第２の基本パラメータセットのそれぞれに対応するリソースユニットである。
【００７６】
また図１に示すように、第１のセルに位置する端末機器２０は、ネットワーク機器１０とデータ交換を行うプロセスで、第１の基本パラメータセットを使用して、第１の基本パラメータセットにおけるパラメータ、例えばサブキャリアの間隔、シンボル長およびＣＰ長に基づきデータ伝送を行うことができる。この時に、第２のセルに位置する端末機器４０がネットワーク機器３０とデータ伝送を行うために使用する基本パラメータセットは第２の基本パラメータセットである。当該第２の基本パラメータセットは、第１の基本パラメータセットと異なる基本パラメータセットであり、例えば、シンボル長とサイクルプレフィックスＣＰ長との和が異なり、および／またはサブキャリアの間隔が異なる。したがって、第１の基本パラメータセットを使用する第１のセルの第１のリソースユニットは、第２の基本パラメータセットを使用する第２のセルの第２のリソースユニットと異なるリソースユニットであり、第１のリソースユニットの時間−周波数リソースのサイズは、第２のリソースユニットの時間−周波数リソースのサイズと異なる。例えば、図３に示すように、第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１の基本パラメータセットを使用するセルの第１のリソースユニット（図３中の左図の陰影部分）の周波数領域リソースのサイズは１５ｋＨｚであり、時間領域リソースのサイズは７１．３６ｕｓであり、第２の基本パラメータセットを使用するセルの第２のリソースユニット（図３中の右図の陰影部分）の周波数領域リソースのサイズは３０ｋＨｚであり、時間領域リソースのサイズは３５．６８ｕｓである。
【００７７】
好ましくは、ステップ４５０で、端末機器２０が当該第１のリソースユニットを決定することは、ネットワーク機器１０が端末機器２０に第１のリソースユニットの時間−周波数リソースの情報を送信し、端末機器２０が当該第１のリソースユニットの時間−周波数リソースの情報を受信し、且つ当該時間−周波数リソースの情報に基づき参照信号リソースを決定するようにすることができ、端末機器２０自体が第１の基本パラメータセットに基づき当該第１のリソースユニットを決定することもできる。
【００７８】
ステップ４６０：端末機器２０が当該第１のリソースユニットに基づき、参照信号リソースを決定する。
【００７９】
なお、当該参照信号リソースの時間領域リソースのサイズは、当該第１のリソースユニットおよび少なくとも１つの第２のリソースユニットにおける時間領域リソースが最大であるリソースユニットの時間領域リソースのサイズに等しく、または当該時間領域リソースが最大であるリソースユニットの時間領域リソースのサイズの偶数倍に等しく、当該参照信号リソースの周波数領域リソースのサイズは、当該第１のリソースユニットおよび少なくとも１つの第２のリソースユニットにおける周波数領域リソースが最大であるリソースユニットの周波数領域リソースのサイズに等しく、または当該周波数領域リソースが最大であるリソースユニットの周波数領域リソースのサイズの偶数倍に等しく、当該少なくとも１つの第２のリソースユニットは少なくとも１つの第２のセルに対応するリソースユニットである。
【００８０】
ステップ４６０では、端末機器２０が当該参照信号リソースを決定することは、以下の２種の形態により実施することができる。以下、図６および図７を参照しながら具体的に説明する。
【００８１】
形態１：
【００８２】
ネットワーク機器１０が端末機器２０に第１のリソースユニットに対応するリソースパラメータを指示し、端末機器２０は当該リソースパラメータに基づき直接参照信号リソースを特定することができる。図６に示す本発明の実施例における参照信号の決定のフローチャートによると、端末機器２０が第１のリソースユニットに基づき、参照信号リソースを決定する。すなわちステップ４６０の前に、当該方法はさらに、ステップ４６１〜ステップ４６３を含む。
【００８３】
ステップ４６１：ネットワーク機器１０が当該第１のリソースユニットに対応するリソースパラメータを決定する。
【００８４】
なお、当該リソースパラメータは、当該参照信号リソースの時間領域リソースのサイズと当該第１のリソースユニットの時間領域リソースのサイズとの第１の比値と、当該参照信号リソースの周波数領域リソースのサイズと当該第１のリソースユニットの周波数領域リソースのサイズとの第２の比値とを含む。
【００８５】
または、当該リソースパラメータは、当該参照信号リソースの時間領域リソースのサイズと当該第１のリソースユニットの時間領域リソースのサイズとの差値と、当該参照信号リソースの周波数領域リソースのサイズと当該第１のリソースユニットの周波数領域リソースのサイズとの差値とを含む。
【００８６】
または、当該リソースパラメータは、当該参照信号リソースの時間領域リソースのサイズと当該第１のリソースユニットの時間領域リソースのサイズの関係を明瞭に表示可能なその他のパラメータ、および当該参照信号リソースの周波数領域リソースのサイズと当該第１のリソースユニットの周波数領域リソースのサイズの関係を明瞭に表示可能なパラメータをさらに含んでもよい。
【００８７】
ステップ４６２：ネットワーク機器１０が端末機器２０に当該リソースパラメータを送信する。
【００８８】
ステップ４６３：端末機器２０が、ネットワーク機器１０が送信する当該リソースパラメータを受信する。
【００８９】
この場合に、ステップ４６０は、ステップ４６４と置き換えることもできる。
【００９０】
ステップ４６４：端末機器２０が当該第１のリソースユニットおよび当該リソースパラメータに基づき、当該参照信号リソースを決定する。
【００９１】
なお、当該リソースパラメータが当該第１の比値と当該第２の比値とを含む場合を例とすると、端末機器２０は、第１のリソースユニットの時間領域リソースのサイズと当該第１の比値との積を当該参照信号リソースの時間領域リソースのサイズとして決定し、且つ第１のリソースユニットの周波数領域リソースのサイズと当該第２の比値との積を当該参照信号リソースの周波数領域リソースのサイズとして決定することができる。
【００９２】
すなわち、端末機器２０は、当該第１のリソースユニットの時間領域リソースのサイズと当該リソースパラメータにおける第１の比値とを乗算して得られた結果を、当該参照信号リソースの時間領域リソースのサイズとし、当該第１のリソースユニットの周波数領域リソースのサイズと当該リソースパラメータにおける第２の比値とを乗算して得られた結果を、当該参照信号リソースの周波数領域リソースのサイズとする。
【００９３】
好ましくは、当該第１のリソースユニットの時間領域リソースのサイズが、当該第１のセルの使用する基本パラメータセットにおけるシンボル長とサイクリックプレフィックス長との和に等しく、および／または、当該第１のリソースユニットの周波数領域リソースのサイズが、当該第１のセルの使用する基本パラメータセットにおけるサブキャリアの間隔のサイズに等しく、当該少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、当該少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【００９４】
また図５に示すように、第１のリソースユニットの周波数領域リソースのサイズは１５ｋＨｚであり、時間領域リソースのサイズは１／１５ｋＨｚすなわち６６．６７ｕｓであり、ＣＰ長は４．６８７ｕｓであり、第２のリソースユニットの周波数領域リソースのサイズは３０ｋＨｚであり、時間領域リソースのサイズは１／３０ｋＨｚすなわち３３．３３ｕｓであり、ＣＰ長は２．３４４ｕｓであり、当該参照信号リソースの時間領域リソースのサイズと前記第１のリソースユニットの時間領域リソースのサイズとの第１の比値がＭであり、当該参照信号リソースの周波数領域リソースのサイズと前記第２のリソースユニットの周波数領域リソースのサイズとの第２の比値がＮであり、ステップ４３０でネットワーク機器１０が決定した当該参照信号リソースの周波数領域リソースのサイズが３０ｋＨｚであり、時間領域リソースのサイズが１／１５ｋＨｚすなわち７１．３６ｕｓであるとした場合に、当該第１のリソースユニットに対応するリソースパラメータとして、Ｍ＝３０ｋＨｚ／１５ｋＨｚ＝２であり、Ｎ＝７１．３６ｕｓ／７１．３６ｕｓ＝１である。
【００９５】
これにより、ネットワーク機器１０が端末機器２０に送信する当該第１のリソースユニットに対応するリソースパラメータは、Ｍ＝２、Ｎ＝１である。端末機器２０は、ネットワーク機器１０が送信する当該リソースパラメータを受信した後に、第１のリソースユニットの周波数領域リソースのサイズである１５ｋＨｚと時間領域リソースのサイズである７１．３６ｕｓ、およびＭ＝２とＮ＝１に基づき、当該参照信号リソースの周波数領域リソースのサイズを１５ｋＨｚ×２＝３０ｋＨｚ、時間領域リソースのサイズを７１．３６ｕｓ×１＝７１．３６ｕｓに決定する。なお、ネットワーク機器１０が端末機器２０に送信する当該第１のリソースユニットに対応するリソースパラメータは、Ｍ＝４×ｎ、Ｎ＝２×ｍ等とすることもでき、ｎおよびｍはともに偶数である。
【００９６】
図５から分かるように、第１のリソースユニットの時間−周波数リソースが第２のリソースユニットの時間−周波数リソースと異なるため、第１のリソースユニットに対応するリソースパラメータが第２のリソースユニットに対応するリソースパラメータとも異なり、第１のリソースユニットに対応するリソースパラメータは、Ｍ＝２、Ｎ＝１であり、第２のリソースユニットに対応するリソースパラメータは、Ｍ＝１、Ｎ＝２である。
【００９７】
形態２：
【００９８】
端末機器２０が参照信号リソースを決定するもう一つの形態は、端末機器２０自体が第１のリソースユニットおよび少なくとも１つの第２のリソースユニットに基づき参照信号リソースを決定することである。図７は、本発明の別の実施例における参照信号の決定のフローチャートを示す。
【００９９】
端末機器２０が第１のリソースユニットに基づき参照信号リソースを決定する前に、前記方法はさらに、ステップ４６５およびステップ４６６を含む。
【０１００】
ステップ４６５：端末機器２０が、ネットワーク機器１０が送信する少なくとも１つの第２のリソースユニットの時間−周波数リソースの情報を受信する。
【０１０１】
この場合に、ステップ４６０は、ステップ４６５と、ステップ４６６とを含み、すなわちステップ４６０は、ステップ４６５およびステップ４６６と置き換えることもできる。
【０１０２】
ステップ４６５：端末機器２０が、第１のリソースユニットおよび少なくとも１つの第２のリソースユニットにおいて、時間領域リソースが最大であるリソースユニットの時間領域リソースのサイズ、および周波数領域リソースが最大であるリソースユニットの周波数領域リソースのサイズを決定する。
【０１０３】
ステップ４６６：端末機器２０が、当該時間領域リソースが最大であるリソースユニットの時間領域リソースのサイズを当該参照信号リソースの時間領域リソースのサイズとして決定し、且つ当該周波数領域リソースが最大であるリソースユニットの周波数領域リソースのサイズを当該参照信号リソースの周波数領域リソースのサイズとして決定する。
【０１０４】
具体的には、端末機器２０が当該第１のリソースユニットの時間−周波数リソースの情報、および少なくとも１つの第２のリソースユニットの時間−周波数リソースの情報を取得し、且つこれら時間−周波数リソースの情報に基づき当該参照信号リソースを決定する。なお、第１のリソースユニットの時間−周波数リソースの情報は、第１のリソースユニットの時間領域リソース情報および／または周波数領域リソース情報を含んでもよいが、少なくとも１つの第２のリソースユニットの時間−周波数リソースの情報は、少なくとも１つの第２のリソースユニットにおけるそれぞれの第２のリソースユニットの時間領域リソース情報および／または周波数領域リソース情報を含んでもよい。端末機器２０は、第１のリソースユニットの時間−周波数リソースの情報および少なくとも１つの第２のリソースユニットの時間−周波数リソースの情報に基づき、当該参照信号リソースを決定することができる。
【０１０５】
好ましくは、当該第１のリソースユニットの時間領域リソースのサイズが、当該第１のセルの使用する基本パラメータセットにおけるシンボル長とサイクリックプレフィックス長との和に等しく、および／または、当該第１のリソースユニットの周波数領域リソースのサイズが、当該第１のセルの使用する基本パラメータセットにおけるサブキャリアの間隔のサイズに等しく、当該少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、当該少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１０６】
例えば、第１のリソースユニットの時間領域リソースのサイズが第２のリソースユニットの時間領域リソースのサイズと異なるため、端末機器２０が第１のリソースユニットの時間領域リソースの情報を取得した後に、第１のリソースユニットの時間領域リソースのサイズと第２のリソースユニットの時間領域リソースのサイズを比較し、時間領域リソースがより大きいリソースユニットの時間領域リソースのサイズを当該参照信号リソースの時間領域リソースのサイズとして決定する。また、端末機器２０が第１のリソースユニットの周波数領域リソースの情報を取得した後に、第１のリソースユニットの周波数領域リソースのサイズと第２のリソースユニットの周波数領域リソースのサイズを比較し、周波数領域リソースがより大きいリソースユニットの周波数領域リソースのサイズを当該参照信号リソースの周波数領域リソースのサイズとして決定する。例えば、図５に示すように、第１のリソースユニットの周波数領域リソースのサイズは１５ｋＨｚであり、時間領域リソースのサイズは７１．３６ｕｓであり、第２のリソースユニットの周波数領域リソースのサイズは３０ｋＨｚであり、時間領域リソースのサイズは３５．６８ｕｓである。したがって、端末機器２０が決定した参照信号リソースの周波数領域リソースのサイズは３０ｋＨｚであり、時間領域リソースのサイズは７１．３６ｕｓである。当然ながら、ここで参照信号リソースの周波数領域リソースのサイズはｎ×３０ｋＨｚとし、時間領域リソースのサイズはｍ×７１．３６ｕｓとすることもでき、ｎおよびｍはともに偶数である。これに関して本発明の実施例では、異なるセルが送信する参照信号の使用する参照信号リソースが時間−周波数においてアライメントされるということさえ満たしていれば、特に限定しない。
【０１０７】
形態２において、端末機器２０は、少なくとも１つの第２のセルにおけるそれぞれの第２のセルのネットワーク機器から、対応するセルのリソースユニットの時間−周波数リソース情報をそれぞれ受信するか、または第１のセルのネットワーク機器１０は、その他のセルのリソースユニットの時間−周波数リソース情報を特定し、且つ端末機器２０に第１のリソースユニットおよび少なくとも１つの第２のリソースユニットの時間−周波数リソース情報を送信し、端末機器２０が複数のリソースユニットの時間−周波数リソース情報を受信した後に、複数のリソースユニットから、時間領域リソースが最大であるリソースユニットの時間領域リソースのサイズを選択して参照信号リソースの時間領域リソースのサイズとし、且つ周波数領域リソースが最大であるリソースユニットの周波数領域リソースのサイズを選択して参照信号リソースの時間領域リソースのサイズとする。
【０１０８】
例えば、互いに隣接するｎ個のセルが存在し、ｎ個の基本パラメータセットに対応し、これらｎ個の基本パラメータセットにおける少なくとも２つの基本パラメータセットは異なり、対応するサブキャリア幅（ｓｕｂｃａｒｒｉｅｒ  ｓｐａｃｉｎｇ）、およびシンボル長とサイクリックプレフィックス長との和がそれぞれ（Ｆ１，Ｔ１）、（Ｆ２，Ｔ２）…（Ｆｎ，Ｔｎ）である場合に、ステップ４５０の形態２において、端末機器２０が決定する参照信号リソースの周波数領域リソースのサイズおよび時間領域リソースのサイズはそれぞれ、Ｆ（ＣＳＩ−ＲＳ）＝Ｍａｘ（Ｆ１…Ｆｎ）、Ｔ（ＣＳＩ−ＲＳ）＝Ｍａｘ（Ｔ１…Ｔｎ）という関係を満たす。ここで、Ｆ（ＣＳＩ−ＲＳ）は参照信号リソースの周波数領域の幅であり、Ｔ（ＣＳＩ−ＲＳ）は参照信号リソースの時間領域の幅であり、Ｍａｘ（ｘ）は、挙げられるパラメータのうちの最大値である。上記の関係により、ネットワーク機器１０は、セルエッジにおける端末機器２０が測定すべき異なるリソースユニットの時間−周波数リソース情報リストをブロードキャストするだけで、端末機器２０が上記の関係に基づき参照信号リソースの時間−周波数リソースを推定することができる。
【０１０９】
なお、端末機器２０が参照信号リソースを決定する形態は、上記形態１および形態２の他に、ネットワーク機器１０が端末機器２０にネットワーク機器１０が既に決定した参照信号リソースのリソース情報を送信し、端末機器２０が、ネットワーク機器１０が送信する当該参照信号リソースのリソース情報を受信した後に、直接当該リソース情報により指示された時間−周波数リソースにおいて、ネットワーク機器１０が送信する参照信号を受信するようにすることもできる。
【０１１０】
なお、本発明の実施例では、端末機器２０が第１のリソースユニットを決定する前に、ネットワーク機器１０は、第１のセルの使用する第１の基本パラメータセットおよび少なくとも１つの第２のセルの使用する少なくとも１つの第２の基本パラメータセットの情報を端末機器２０に送信することにより、端末機器２０が当該第１の基本パラメータセットおよび少なくとも１つの第２の基本パラメータセットに基づき第１のリソースユニットを決定するようにしてもよい。
【０１１１】
当然ながら、ネットワーク機器１０が端末機器２０に複数のセルの使用する異なる基本パラメータセットのリストをブロードキャストすることにより、端末機器２０は、これら複数の基本パラメータセットにおいて、最大であるサブキャリアの間隔または最大であるサブキャリアの間隔の偶数倍を参照信号リソースの周波数領域リソースのサイズとして決定し、シンボル長とサイクリックプレフィックス長との和の最大値、またはシンボル長とサイクリックプレフィックス長との和の最大値の偶数倍を当該参照信号リソースの時間領域リソースのサイズとして決定するようにしてもよい。
【０１１２】
端末機器２０は、ステップ４６０の２種の形態により参照信号リソースを決定した後に、ステップ４７０を実行する。
【０１１３】
ステップ４７０では、端末機器２０が当該参照信号リソースにおいて、ネットワーク機器１０が送信する当該参照信号を受信する。
【０１１４】
また、その他のセルのネットワーク機器、例えば、図１に示す第２のセルのネットワーク機器３０が端末機器２０に参照信号を送信することもできる。この時に、端末機器２０はネットワーク機器１０およびネットワーク機器３０が送信する参照信号を同時に受信することにより、この２つの参照信号を利用してチャネル品質を測定することができる。図５に示すように、第１のセルエッジの端末機器２０は、第２のセルの干渉が存在する時のチャネル品質を測定することができる。
【０１１５】
本発明の実施例では、参照信号がゼロ電力参照信号または非ゼロ電力参照信号を含んでもよい。
【０１１６】
端末機器２０がネットワーク機器１０から受信した参照信号が非ゼロ電力参照信号であり、端末機器２０がネットワーク機器３０から受信した参照信号も非ゼロ電力参照信号である場合に、第１のセルの端末機器２０は第２のセルの干渉が存在する時のチャネル品質を測定することができる。端末機器２０がネットワーク機器１０から受信した参照信号が非ゼロ電力参照信号であり、端末機器２０がネットワーク機器３０から受信した参照信号もゼロ電力参照信号である場合に、第１のセルの端末機器２０は第２のセルの干渉が存在しない時のチャネル品質を測定することができる。
【０１１７】
本発明の実施例の方法によれば、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【０１１８】
なお、本発明の実施例では、ネットワーク機器１０と端末機器２０の間での参照信号の伝送を例として説明しており、且つ、第１のセルの端末機器２０に干渉を与えるセルとして第２のセルだけを示しているが、本発明の実施例による参照信号の伝送方法は、複数のセルの間にも用いることができ、各セルのネットワーク機器および端末機器はいずれも本発明の実施例の方法に従って、参照信号リソースを決定し、且つ当該参照信号伝送リソースにおいて当該参照信号を伝送することができる。
【０１１９】
且つ、第１のセルのある隣接するセルにおけるネットワーク機器が端末機器２０に送信する参照信号が非ゼロ電力参照信号である場合に、端末機器２０は当該セルの干渉が存在する時のチャネル品質を測定することができ、当該セルのネットワーク機器が端末機器２０に送信する参照信号がゼロ電力参照信号である場合に、端末機器２０は当該セルの干渉が存在しない時のチャネル品質を測定することができる。
【０１２０】
また、端末機器２０は複数の非ゼロ電力参照信号を受信することにより、当該複数のセルが同時に干渉を与える時のチャネル品質を測定することもできる。
【０１２１】
好ましくは、前記方法がさらに、ネットワーク機器１０が、当該参照信号リソースの時間領域における分布周期と、前記参照信号リソースの周波数領域における分布周期とを含む設定情報を決定するステップと、ネットワーク機器１０が前記端末機器２０に前記設定情報を送信するステップとを含む。
【０１２２】
この場合に、端末機器２０が、当該参照信号リソースにおいて、ネットワーク機器１０が送信する参照信号を受信することは、端末機器２０が当該設定情報に基づき、周期的に分布する複数の当該参照信号リソースにおいて、ネットワーク機器１０が送信する前記参照信号を受信することを含む。
【０１２３】
なお、当該参照信号リソースの時間領域における分布周期は、当該参照信号の時間領域における密度と呼ぶこともでき、当該参照信号リソースの周波数領域における分布周期は、当該参照信号の周波数領域における密度と呼ぶこともできる。例えば、図２（ａ）、図２（ｂ）および図（３）に示す参照信号リソースは、周波数領域において周期的に分布し、当該参照信号の周波数領域における分布周期は、４つのリソースユニットの周波数領域リソースのサイズに等しく、すなわち周波数領域において、３つのリソースユニットの間隔ごとに参照信号を送信する。または、当該参照信号を特定のサブフレームにおいて送信するよう設定することもできる。
【０１２４】
なお、本発明の実施例では、参照信号がチャネル品質測定用参照信号ＣＳＩ−ＲＳ、セル固有参照信号ＣＲＳおよび復調用参照信号ＤＭＲＳなどの下りリンク参照信号を伝送するために用いることができ、またサウンディング参照信号ＳＲＳ、上りリンクＤＭＲＳなどの上りリンク参照信号を伝送するために用いることもできる。
【０１２５】
且つ、本発明の実施例では、複数のセル間の干渉が、異なる基本パラメータセット間の干渉をさらに含み、本発明の実施例による参照信号の伝送方法は、受信端が異なる基本パラメータセットによる干渉を推定することを助けることもできる。
【０１２６】
なお、本発明の各種実施例では、上記各プロセスの番号で実行される順番を示すものではなく、各プロセスが実行される順番は、その機能および内部倫理によって決まり、本発明の実施例を実施するプロセスに対して一切限定を加えるものではない。
【０１２７】
上記内容は、本発明の実施例によるデータ伝送方法を詳しく説明しており、以下に本発明の実施例によるネットワーク機器および端末機器を説明する。なお、本発明の実施例によるネットワーク機器と端末機器は、上記実施例による各種の方法を実行することができ、すなわち以下に記載の各種機器の具体的な動作プロセスは、上記方法に関する実施例の対応するプロセスを参照することができる。
【０１２８】
図８は、本発明の実施例によるネットワーク機器８００の構造を示すブロック図である。図８によると、当該ネットワーク機器８００は、決定モジュール８０１と、送信モジュール８０２とを含み、
決定モジュール８０１は、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、
前記第１のリソースユニットおよび前記少なくとも１つの第２のリソースユニットにおいて、時間領域リソースが最大であるリソースユニット、および周波数領域リソースが最大であるリソースユニットを決定し、
前記時間領域リソースが最大であるリソースユニット、および前記周波数領域リソースが最大であるリソースユニットに基づき、参照信号リソースを決定し、
送信モジュール８０２は、前記参照信号リソースにおいて端末機器に参照信号を送信する。
【０１２９】
したがって、ネットワーク機器は、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【０１３０】
好ましくは、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１３１】
好ましくは、決定モジュール８０１が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１３２】
好ましくは、決定モジュール８０１がさらに、前記第１のリソースユニットに対応し、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定し、送信モジュール８０２が前記端末機器に前記リソースパラメータを送信する。
【０１３３】
好ましくは、送信モジュール８０２がさらに、前記端末機器に前記第１のリソースユニットの時間−周波数リソースの情報、および／または前記少なくとも１つの第２のリソースユニットの時間−周波数リソースの情報を送信する。
【０１３４】
好ましくは、決定モジュール８０１がさらに、前記参照信号リソースの時間領域における分布周期と、前記参照信号リソースの周波数領域における分布周期とを含む設定情報を決定し、送信モジュール８０２がさらに、前記端末機器に前記設定情報を送信する。
【０１３５】
好ましくは、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１３６】
好ましくは、前記参照信号がゼロ電力参照信号または非ゼロ電力参照信号を含む。
【０１３７】
好ましくは、前記ネットワーク機器がセル間協調送受信ＣｏＭＰに用いられ、前記第２のセルが前記第１のセルに隣接するセルである。
【０１３８】
なお、本発明の実施例では、決定モジュール８０１はプロセッサにより実施することができ、伝送モジュール８０２は受送信機により実施することができる。図９に示すように、端末機器９００は、プロセッサ９１０と、受送信機９２０と、メモリ９３０とを含む。なお、受送信機９２０は、受信器９２１と、送信器９２２とを含み、メモリ９３０は、基本パラメータおよびフィルタリングの方式などの関連情報を記憶することができ、プロセッサ９１０により実行されるコードなどを記憶することもできる。端末機器９００における各部品は、バスシステム９４０により接続される。バスシステム９４０は、データバスの他に、電源バス、制御バスおよび状態信号バスなども含む。
【０１３９】
なお、プロセッサ９１０は、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、
前記第１のリソースユニットおよび前記少なくとも１つの第２のリソースユニットにおいて、時間領域リソースが最大であるリソースユニット、および周波数領域リソースが最大であるリソースユニットを決定し、
前記時間領域リソースが最大であるリソースユニット、および前記周波数領域リソースが最大であるリソースユニットに基づき、参照信号リソースを決定し、
受送信機９２０は、前記参照信号リソースにおいて端末機器に参照信号を送信する。
【０１４０】
好ましくは、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１４１】
好ましくは、プロセッサ９１０が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１４２】
好ましくは、プロセッサ９１０がさらに、前記第１のリソースユニットに対応し、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定し、受送信機９２０が、前記端末機器に前記リソースパラメータを送信する。
【０１４３】
好ましくは、受送信機９２０がさらに、前記端末機器に前記第１のリソースユニットの時間−周波数リソースの情報、および／または前記少なくとも１つの第２のリソースユニットの時間−周波数リソースの情報を送信する。
【０１４４】
好ましくは、プロセッサ９１０がさらに、前記参照信号リソースの時間領域における分布周期と、前記参照信号リソースの周波数領域における分布周期とを含む設定情報を決定し、受送信機９２０がさらに、前記端末機器に前記設定情報を送信する。
【０１４５】
好ましくは、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１４６】
好ましくは、前記参照信号がゼロ電力参照信号または非ゼロ電力参照信号を含む。
【０１４７】
好ましくは、前記ネットワーク機器がセル間協調送受信ＣｏＭＰに用いられ、前記第２のセルが前記第１のセルに隣接するセルである。
【０１４８】
図１０は、本発明の実施例におけるシステムチップの構造を示す概略図である。図１０によると、システムチップ１０００は、入力インタフェース１００１と、出力インタフェース１００２と、少なくとも１つのプロセッサ１００３と、メモリ１００４とを含み、入力インタフェース１００１、出力インタフェース１００２、プロセッサ１００３およびメモリ１００４はバス１００５によって接続される。プロセッサ１００３は、メモリ１００４に記憶されるコードを実行し、前記コードが実行される時に、プロセッサ１００３により、図４〜図７によるネットワーク機器１０が実行する方法を実現する。
【０１４９】
図８に示すネットワーク機器８００、図９に示すネットワーク機器９００、または図１０に示すシステムチップ１０００は、前記図４〜図７の方法に関する実施例でネットワーク機器１０により実行される各プロセスを実現することができる。重複を避けるために、ここにおいて詳細な説明を省略する。
【０１５０】
図１１は、本発明の実施例による端末機器１１００の構造を示す概略的なブロック図である。図１１によると、端末機器１１００は、決定モジュール１１０１と、受信モジュール１１０２とを含み、
決定モジュール１１０１は、第１のセルに対応する第１のリソースユニットを決定し、
前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、
受信モジュール１１０２は、前記参照信号リソースにおいて、前記第１のセルのネットワーク機器が送信する参照信号を受信する。
【０１５１】
したがって、端末機器は、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【０１５２】
好ましくは、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１５３】
好ましくは、決定モジュール１１０１が前記第１のリソースユニットに基づき、参照信号リソースを決定する前に、受信モジュール１１０２はさらに、前記ネットワーク機器が送信する前記第１のリソースユニットに対応し、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含むリソースパラメータを受信し、
決定モジュール１１０１が、前記第１のリソースユニットの時間領域リソースのサイズと前記第１の比値の積を前記参照信号リソースの時間領域リソースのサイズとして決定し、且つ前記第１のリソースユニットの周波数領域リソースのサイズと前記第２の比値との積を前記参照信号リソースの周波数領域リソースのサイズとして決定する。
【０１５４】
好ましくは、決定モジュール１１０１が第１のセルに対応する第１のリソースユニットを決定する前に、受信モジュール１１０２がさらに、前記ネットワーク機器が送信する前記少なくとも１つの第２のリソースユニットの時間−周波数リソースの情報を受信し、
決定モジュール１１０１が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定し、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１５５】
好ましくは、受信モジュール１１０２がさらに、前記ネットワーク機器が送信する、前記参照信号リソースの時間領域における分布周期と前記参照信号リソースの周波数領域における分布周期とを含む設定情報を受信し、前記設定情報に基づき、周期的に分布する複数の前記参照信号リソースにおいて、前記ネットワーク機器が送信する前記参照信号を受信する。
【０１５６】
好ましくは、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１５７】
好ましくは、前記参照信号がゼロ電力参照信号または非ゼロ電力参照信号を含む。
【０１５８】
好ましくは、前記端末機器がセル間協調送受信ＣｏＭＰに用いられ、前記第２のセルが前記第１のセルに隣接するセルである。
【０１５９】
なお、本発明の実施例では、決定モジュール１１０１はプロセッサにより実現することができ、伝送モジュール１１０２は受送信機により実現することができる。図１２に示すように、端末機器１２００は、プロセッサ１２１０、受送信機１２２０と、メモリ１２３０とを含む。受送信機１２２０は、受信器１２２１と、送信器１２２２とを含み、メモリ１２３０は、基本パラメータセット、ガードバンドおよびフィルタリングの方式などの関連情報を記憶することができ、プロセッサ１２１０により実行されるコードなどを記憶することもできる。ネットワーク機器１２００における各部品は、バスシステム１２４０によって接続される。バスシステム１２４０は、データバスの他に、電源バス、制御バスおよび状態信号バスなども含む。
【０１６０】
プロセッサ１２１０は、第１のセルに対応する第１のリソースユニットを決定し、前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、
受送信機１２２０は、前記参照信号リソースにおいて、前記第１のセルのネットワーク機器が送信する参照信号を受信する。
【０１６１】
好ましくは、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１６２】
好ましくは、プロセッサ１２１０が前記第１のリソースユニットに基づき、参照信号リソースを決定する前に、受送信機１２２０はさらに、前記ネットワーク機器が送信する前記第１のリソースユニットに対応し、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含むリソースパラメータを受信し、
プロセッサ１２１０が、前記第１のリソースユニットの時間領域リソースのサイズと前記第１の比値の積を前記参照信号リソースの時間領域リソースのサイズとして決定し、且つ前記第１のリソースユニットの周波数領域リソースのサイズと前記第２の比値との積を前記参照信号リソースの周波数領域リソースのサイズとして決定する。
【０１６３】
好ましくは、プロセッサ１２１０が第１のセルに対応する第１のリソースユニットを決定する前に、受送信機１２２０がさらに、前記ネットワーク機器が送信する前記少なくとも１つの第２のリソースユニットの時間−周波数リソースの情報を受信し、
プロセッサ１２１０が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定し、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１６４】
好ましくは、受送信機１２２０がさらに、前記ネットワーク機器が送信する、前記参照信号リソースの時間領域における分布周期と前記参照信号リソースの周波数領域における分布周期とを含む設定情報を受信し、前記設定情報に基づき、周期的に分布する複数の前記参照信号リソースにおいて、前記ネットワーク機器が送信する前記参照信号を受信する。
【０１６５】
好ましくは、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１６６】
好ましくは、前記参照信号がゼロ電力参照信号または非ゼロ電力参照信号を含む。
【０１６７】
好ましくは、前記端末機器がセル間協調送受信ＣｏＭＰに用いられ、前記第２のセルが前記第１のセルに隣接するセルである。
【０１６８】
図１３は、本発明の実施例におけるシステムチップの構造を示す概略図である。図１３によると、システムチップ１３００は、入力インタフェース１３０１と、出力インタフェース１３０２と、少なくとも１つのプロセッサ１３０３と、メモリ１３０４とを含み、入力インタフェース１３０１、出力インタフェース１３０２、プロセッサ１３０３およびメモリ１３０４はバス１３０５によって接続される。プロセッサ１３０３は、前記メモリ１３０４に記憶されるコードを実行し、前記コードが実行される時に、プロセッサ１３０３により、図４〜図７による端末機器２０により実行される方法を実現する。
【０１６９】
図１０に示す端末機器１０００、図１１に示す端末機器１１００、または図１２に示すシステムチップ１２００は、図４〜図７の前記方法に関する実施例で端末機器２０により実行される各プロセスを実現することができる。重複を避けるために、ここにおいて詳細な説明を省略する。
【０１７０】
本発明の実施例において、プロセッサは、信号処理能力を備える集積回路チップとすることができる。上記方法に関する実施例の各ステップを実施するプロセスでは、プロセッサにおけるハードウェア形式の集積論理回路、またはソフトウェア形式のコマンドにより実行することができる。前記プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）、またはその他のプログラマブル論理部品、論理回路もしくはトランジスタ論理部品、ハードウェアとしての論理部品とすることができ、また、本発明の実施例に開示されている各方法、各ステップおよび論理ブロック図を実現または実行することができる。そのうち汎用プロセッサは、マイクロプロセッサ、または任意の一般的なプロセッサ等とすることができる。本発明の実施例に開示されている方法のステップは、ハードウェアとしてのデコードプロセッサにより実行されるものであってもよいが、またはデコードプロセッサにおけるハードウェアおよびソフトウェアモジュールの組み合わせにより実行されるものであってもよい。そのうちソフトウェアモジュールは、ランダムアクセスメモリ、フラッシュメモリ、読み出し専用メモリ、プログラマブル読み出し専用メモリ、または電気的消去可能プログラマブルメモリ、レジスタなど当該分野の成熟する技術としての記憶媒体に設けることができる。前記記憶媒体はメモリに設けられ、プロセッサがメモリに記憶される情報を読み込んでそのハードウェアと協働して上記方法のステップを実行する。
【０１７１】
本発明の実施例において、前記メモリは、揮発性メモリもしくは不揮発性メモリ、または揮発性メモリと不揮発性メモリの組み合わせとすることができる。そのうち、不揮発性メモリは、読み出し専用メモリ（Ｒｅａｄ−Ｏｎｌｙ  Ｍｅｍｏｒｙ、略称ＲＯＭ）、プログラマブル読み出し専用メモリ（Ｐｒｏｇｒａｍｍａｂｌｅ  ＲＯＭ、略称ＰＲＯＭ）、消去可能プログラマブル読み出し専用メモリ（Ｅｒａｓａｂｌｅ  ＰＲＯＭ、略称ＥＰＲＯＭ）、電気的消去可能プログラマブル読み出し専用メモリ（Ｅｌｅｃｔｒｉｃａｌｌｙ  ＥＰＲＯＭ、略称ＥＥＰＲＯＭ）、またはフラッシュメモリとすることができる。そのうち揮発性メモリは、ランダムアクセスメモリ（Ｒａｎｄｏｍ  Ａｃｃｅｓｓ  Ｍｅｍｏｒｙ、略称ＲＡＭ）とすることができ、外部キャッシュメモリとして使用する。限定を加えるためではなく例示的に示すが、さまざまな形式のＲＡＭ、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、同期ダイナミックランダムアクセスメモリ（Ｓｙｎｃｈｒｏｎｏｕｓ  ＤＲＡＭ、略称ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、略称ＤＤＲ  ＳＤＲＡＭ）、拡張型同期ダイナミックランダムアクセスメモリ（Ｅｎｈａｎｃｅｄ  ＳＤＲＡＭ、略称ＥＳＤＲＡＭ）、同期リンクダイナミックランダムアクセスメモリ（Ｓｙｎｃｈｌｉｎｋ  ＤＲＡＭ、略称ＳＬＤＲＡＭ）およびダイレクトラムバスランダムアクセスメモリ（Ｄｉｒｅｃｔ  Ｒａｍｂｕｓ  ＲＡＭ、略称ＤＲ  ＲＡＭ）を使用することができる。なお、本明細書に記載されるシステムおよび方法において、前記メモリは、上記メモリやその他の如何なるタイプのメモリも含み、なお且つこれらに限定されない。
【０１７２】
さらに、本明細書では、用語「システム」および「ネットワーク」は置き換えて用いることができる。本明細書に用いる「且つ（および）／または」という用語は、関連対象の相関関係を説明するものであり、３種類の関係が存在することを表す。例えば、Ａ且つ（および）／またはＢは、Ａが単独で存在する場合、ＡおよびＢが同時に存在する場合、Ｂが単独で存在する場合を表すことができる。なお、本明細書に用いる「／」という符号は一般的に、それによって繋がる対象が「または」という関係にあることを表す。
【０１７３】
本発明の実施例において、「Ａに対応するＢ」とはＢがＡに関連し、Ａに基づきＢを決定することができるという意味である。なお、Ａに基づきＢを決定するということは、Ａだけに基づきＢを決定するのみではなく、Ａおよび／またはその他の情報に基づきＢを決定することもできる。
【０１７４】
当業者に自明なように、本明細書に開示されている実施例に記載の各例示的なユニットやアルゴリズムおよびステップは、電子ハードウェア、または電子ハードウェアおよびコンピュータソフトウェアの組み合わせにより実施することができる。これらの機能をハードウェアで実行するか、ソフトウェアで実行するかは、該当発明の特定の用途および設計上の制限条件により決まる。当業者であれば、特定の用途ごとに異なる方法を用いて該当機能を実施することができ、このような実施は、本発明の範囲を逸脱するものではない。
【０１７５】
当業者に自明なように、本項において説明されるシステム、機器およびユニットの具体的な動作プロセスについては、上記方法に関する実施例の対応するプロセスを参照することができるため、説明の都合上、ここにおいて詳細な説明が省略される。
【０１７６】
なお、本発明のいくつかの実施例に開示されているシステム、機器および方法は、その他の形態により実施することもできる。例えば、本項において説明される装置に関する実施例は、例示的なものに過ぎない。例えば、上記に記載のとおりユニットを設定しているのは、論理機能上の分割に過ぎず、実施する際に別の形態で分割することもでき、例えば、複数のユニットまたは部品を別のシステムに組み合わせもしくは集積させたり、または一部の特徴を反映させず、実行しなかったりしてもよい。また、本項に記載または説明される直接的な接続または通信接続など部品間の接続は、いくつかのインタフェース、装置またはユニットを用いる間接的接続または通信接続とすることもでき、電気的形態、機械的形態またはその他の形態とすることもできる。
【０１７７】
前記分離される部品として説明されるユニットは、物理的に分離されるものでもよければ、分離されないものであってもよい。ユニットとして示される部品は、物理的なユニットであってもよいが、物理的なユニットでなくてもよい。すなわち、同一の場所に設けられるものであってもよいが、複数のネットワークユニットに配置されるものであってもよい。必要に応じて、一部のユニットだけを用いるか、または全てのユニットを使用して本発明の実施例に係る発明の目的を達成することができる。
【０１７８】
また、本発明の実施例において、各機能ユニットが１つの処理ユニットに集積されてもよいが、各ユニットが単独で物理的な部品として存在するか、または２つ以上のユニットが１つのユニットに集積されてもよい。
【０１７９】
上記機能は、ソフトウェアの機能ユニットの形で実施され、且つ独立する製品として販売または使用する場合に、コンピュータ読み取り可能な記憶媒体に記憶することができる。これにより、本願に係る発明の趣旨、すなわち従来技術に対して貢献する発明または当該発明の一部は、ソフトウェア製品の形で実施ことができる。当該コンピュータソフトウェア製品は、記憶媒体に記憶され、且つ、コンピュータデバイス（パソコン、サーバ、またはネットワーク機器など）に本発明の各実施例による方法の全てのステップまたはその一部を実行させるためのいくつかのコマンドを含む。前記記憶媒体は、ＵＳＢフラッシュドライブ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたはコンパクトディスクなど、プロクラムコードを記憶可能なさまざまな媒体を含む。
【０１８０】
本明細書に記載される内容は、本発明の具体的な実施形態に過ぎず、本発明の保護範囲はこれに限定されない。当業者が本発明に開示される技術範囲において容易に想到し得る変更や置換などは、いずれも本発明の保護範囲に含まれる。これにより、本発明の保護範囲は、特許請求の範囲に記載の内容に準拠する。
【図１】
2019533320.tif 000003
【図２（ａ）】
2019533320.tif 000004
【図２（ｂ）】
2019533320.tif 000005
【図３】
2019533320.tif 000006
【図４】
2019533320.tif 000007
【図５】
2019533320.tif 000008
【図６】
2019533320.tif 000009
【図７】
2019533320.tif 000010
【図８】
2019533320.tif 000011
【図９】
2019533320.tif 000012
【図１０】
2019533320.tif 000013
【図１１】
2019533320.tif 000014
【図１２】
2019533320.tif 000015
【図１３】
2019533320.tif 000016
【手続補正書】
【提出日】平成31年3月6日(2019.3.6)
【手続補正１】
【補正対象書類名】明細書
【補正対象項目名】全文
【補正方法】変更
【補正の内容】
【発明の詳細な説明】
【技術分野】
【０００１】
本発明の実施形態は、無線通信の分野に関し、詳しく言えば、参照信号の伝送方法、ネットワーク機器および端末機器に関する。
【背景技術】
【０００２】
無線通信システムにおいて、参照信号（Ｒｅｆｅｒｅｎｃｅ  Ｓｉｇｎａｌ、略称ＲＳ）とは、送信装置により送信され、受信装置が受信してチャネルの品質測定を行うための一連の既知信号と言う。例えば、セル間協調送受信（Ｃｏｏｒｄｉｎａｔｅｄ  Ｍｕｌｔｉｐｌｅ  Ｐｏｉｎｔｓ、略称ＣｏＭＰ）をサポートするセルの場合に、端末機器はチャネル品質測定用参照信号（Ｃｈａｎｎｅｌ  Ｓｔａｔｅ  Ｉｎｆｏｒｍａｔｉｏｎ  ＲＳ、略称ＣＳＩ−ＲＳ）などの参照信号を利用して、各セルの信号および干渉強度を測定して基地局に報告する。
【０００３】
ロングタームエボリューション（Ｌｏｎｇ  Ｔｅｒｍ  Ｅｖｏｌｕｔｉｏｎ、略称ＬＴＥ）システムにおいて、異なるセルの端末機器に設定されるＣＳＩ−ＲＳは、時間−周波数リソースの位置においてアライメントされており、すなわち異なる端末機器が受信したチャネルの品質測定を行うためのＣＳＩ−ＲＳが占有する時間−周波数リソースのサイズは同一であり、このため、端末機器はチャネル測定を行う時に、隣接するセルでのデータ伝送により影響されることが避けられる。しかしながら、これから登場する第５世代移動通信（以下、５Ｇと略称する）システムは、さまざまな基本パラメータセットをサポートし、隣接するセルに位置する端末機器がそれぞれ異なる基本パラメータセットを使用する場合には、基本パラメータセットが異なるせいで、ＣＳＩ−ＲＳが占有するリソース要素（Ｒｅｓｏｕｒｃｅ  Ｅｌｅｍｅｎｔ、略称ＲＥ）が時間−周波数位置においてアライメントできなくなる。ＬＴＥシステムにおける従来の方式を利用してＣＳＩ−ＲＳを設定すると、端末機器は、チャネルを測定するプロセスで、隣接するセルでのデータ伝送により干渉されることがある。
【発明の概要】
【発明が解決しようとする課題】
【０００４】
本発明の実施形態は、参照信号の伝送方法、ネットワーク機器および端末機器を提供することにより、如何に異なる基本パラメータセットに基づいて参照信号を伝送するかという課題を解決する。
【課題を解決するための手段】
【０００５】
第１の態様として、参照信号の伝送方法を提供する。第１のセルのネットワーク機器が、前記第１のセルに対応する第１のリソースユニット、および少なくとも１つの第２のセルに対応する少なくとも１つの第２のリソースユニットを決定するステップを含み、前記第１のリソースユニットの時間−周波数リソースのサイズは、前記少なくとも１つの第２のリソースユニットの時間−周波数リソースのサイズと異なり、前記ネットワーク機器は、前記第１のリソースユニットおよび前記少なくとも１つの第２のリソースユニットにおいて、時間領域リソースが最大であるリソースユニット、および周波数領域リソースが最大であるリソースユニットを決定するステップと、前記ネットワーク機器は、前記時間領域リソースが最大であるリソースユニットおよび前記周波数領域リソースが最大であるリソースユニットに基づき、参照信号リソースを決定するステップと、前記ネットワーク機器は、前記参照信号リソースにおいて端末機器に参照信号を送信するステップとを含む。
【０００６】
したがって、異なるセルの使用する異なる基本パラメータセットに基づき、異なるセルの異なるリソースユニットにより、参照信号を伝送するための参照信号リソースを決定して、異なるセルにおける参照信号を伝送するための参照信号リソースを時間領域および周波数領域においてそれぞれアライメントさせることにより、異なる基本パラメータセットに基づく参照信号の伝送という課題を解決することができる。
【０００７】
一つの実施形態において、前記第１のリソースユニットの時間領域リソースのサイズは、前記第１のセルの使用する基本パラメータセットにおけるシンボル長度とサイクリックプレフィックス長度との和に等しく、および／または、前記第１のリソースユニットの周波数領域リソースのサイズは、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズは、それぞれに対応するセルの使用する基本パラメータセットにおけるシンボル長度とサイクリックプレフィックス長度との和に等しく、および／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい。
【０００８】
例えば、第１のセルの使用する第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２のセルの使用する第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１のリソースユニット（図３中の左図の陰影部分）の周波数領域リソースのサイズは１５ｋＨｚであり、時間領域リソースのサイズは７１．３６ｕｓであり、第２のリソースユニット（図３中の右図の陰影部分）の周波数領域リソースのサイズは３０ｋＨｚであり、時間領域リソースのサイズは３５．６８ｕｓである。
【０００９】
一つの実施形態において、前記ネットワーク機器が、前記時間領域リソースが最大であるリソースユニットおよび前記周波数領域リソースが最大であるリソースユニットに基づき、参照信号リソースを決定する前記ステップは、前記ネットワーク機器が、前記時間領域リソースが最大であるリソースユニットの時間領域リソースのサイズを前記参照信号リソースの時間領域リソースのサイズとして決定し、前記周波数領域リソースが最大であるリソースユニットの周波数領域リソースのサイズを前記参照信号リソースの周波数領域リソースのサイズとして決定することを含む。
【００１０】
例えば、第１のセルの使用する第１の基本パラメータセットのサブキャリアの間隔は１５ｋＨｚであり、シンボル長は６６．６７ｕｓであり、ＣＰ長は４．６８７ｕｓであり、第２のセルの使用する第２の基本パラメータセットのサブキャリアの間隔は３０ｋＨｚであり、シンボル長は３３．３３ｕｓであり、ＣＰ長は２．３４４ｕｓである。第１のリソースユニットの周波数領域リソースのサイズは１５ｋＨｚであり、時間領域リソースのサイズは７１．３６ｕｓであり、第２のリソースユニットの周波数領域リソースのサイズは３０ｋＨｚであり、時間領域リソースのサイズは３５．６８ｕｓである。したがって、当該参照信号リソースの周波数領域リソースのサイズは３０ｋＨｚであり、時間領域リソースのサイズは７１．３６ｕｓである。または、当該参照信号の周波数領域リソースのサイズは３０ｋＨｚの偶数倍、例えば６０ｋＨｚであってよく、および／または、当該参照信号の時間領域リソースのサイズは７１．３６ｕｓの偶数倍、例えば１４０ｕｓであってよい。
【００１１】
一つの実施形態において、前記方法はさらに、ネットワーク機器は、前記第１のリソースユニットに対応する、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定するステップと、前記ネットワーク機器は、前記端末機器に前記リソースパラメータを送信するステップとを含む。
【００１２】
一つの実施形態において、前記方法はさらに、前記ネットワーク機器が、前記端末機器に、前記第１のリソースユニットの時間−周波数リソースの情報、および／または前記少なくとも１つの第２のリソースユニットの時間−周波数リソースの情報を送信するステップを含む。
【００１３】
一つの実施形態において、前記方法はさらに、前記ネットワーク機器が、前記参照信号リソースの時間領域における分布周期と、前記参照信号リソースの周波数領域における分布周期とを含む設定情報を決定するステップと、前記ネットワーク機器が、前記端末機器に前記設定情報を送信するステップとを含む。
【００１４】
一つの実施形態において、前記参照信号は、セル固有参照信号ＣＲＳ、チャネル品質測定用参照信号ＣＳＩ−ＲＳおよび復調用参照信号ＤＭＲＳのうちの少なくとも１種を含む。
【００１５】
本発明の実施例における参照信号は、チャネル品質測定用参照信号ＣＳＩ−ＲＳ、セル固有参照信号ＣＲＳおよび復調用参照信号ＤＭＲＳなどの下りリンク参照信号を伝送するために用いられることができ、またサウンディング参照信号ＳＲＳ、上りリンクＤＭＲＳなどの上りリンク参照信号を伝送するために用いられることもできる。
【００１６】
一つの実施形態において、前記参照信号は、ゼロ電力参照信号または非ゼロ電力参照信号を含む。
【００１７】
第１のセルのある隣接するセルにおけるネットワーク機器が端末機器２０に送信する参照信号が非ゼロ電力参照信号である場合に、端末機器２０は、当該セルの干渉が存在する時のチャネル品質を測定することができ、当該セルのネットワーク機器が端末機器２０に送信する参照信号がゼロ電力参照信号である場合に、端末機器２０は、当該セルの干渉が存在しない時のチャネル品質を測定することができる。
【００１８】
そして、本発明の実施例における複数のセル間の干渉はさらに、異なる基本パラメータセット間の干渉を含み、本発明の実施例による参照信号の伝送方法は、受信端が異なる基本パラメータセットによる干渉を推定することを助けることもできる。
【００１９】
一つの実施形態において、前記方法がセル間協調送受信ＣｏＭＰに用いられ、前記第２のセルが前記第１のセルに隣接するセルである。
【００２０】
第２の態様として、参照信号の伝送方法を提供する。その特徴は以下のとおりである：端末機器が、第１のセルに対応する第１のリソースユニットを決定するステップと、前記端末機器が前記第１のリソースユニットに基づき、参照信号リソースを決定するステップとを含み、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、前記端末機器が前記参照信号リソースにおいて、前記第１のセルのネットワーク機器が送信する参照信号を受信するステップを含む。
【００２１】
したがって、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【００２２】
一つの実施形態において、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【００２３】
例えば、第１のセルの使用する第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２のセルの使用する第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１のリソースユニット（図３中の左図の陰影部分）の周波数領域リソースのサイズは１５ｋＨｚであり、時間領域リソースのサイズは７１．３６ｕｓであり、第２のリソースユニット（図３中の右図の陰影部分）の周波数領域リソースのサイズは３０ｋＨｚであり、時間領域リソースのサイズは３５．６８ｕｓである。
【００２４】
一つの実施形態において、前記端末機器が前記第１のリソースユニットに基づき、参照信号リソースを決定する前に、前記方法がさらに、前記端末機器が、前記ネットワーク機器が送信する前記第１のリソースユニットに対応し、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含むリソースパラメータを受信するステップを含み、
前記端末機器が前記第１のリソースユニットに基づき、参照信号リソースを決定するステップは、前記端末機器が、前記第１のリソースユニットの時間領域リソースのサイズと前記第１の比値との積を前記参照信号リソースの時間領域リソースのサイズとして決定し、且つ前記第１のリソースユニットの周波数領域リソースのサイズと前記第２の比値との積を前記参照信号リソースの周波数領域リソースのサイズとして決定することを含む。
【００２５】
例えば、第１のリソースユニットの周波数領域リソースのサイズは１５ｋＨｚであり、時間領域リソースのサイズは１／１５ｋＨｚすなわち６６．６７ｕｓであり、ＣＰ長は４．６８７ｕｓであり、第２のリソースユニットの周波数領域リソースのサイズは３０ｋＨｚであり、時間領域リソースのサイズは１／３０ｋＨｚすなわち３３．３３ｕｓであり、ＣＰ長は２．３４４ｕｓである。当該第１の比値がＭであり、当該第２の比値がＮであり、ネットワーク機器１０が決定した当該参照信号リソースの周波数領域リソースのサイズが３０ｋＨｚであり、時間領域リソースのサイズが７１．３６ｕｓであるとした場合に、当該第１のリソースユニットに対応するリソースパラメータとして、Ｍ＝３０ｋＨｚ／１５ｋＨｚ＝２であり、Ｎ＝７１．３６ｕｓ／７１．３６ｕｓ＝１である。ネットワーク機器１０が端末機器２０に送信する当該第１のリソースユニットに対応するリソースパラメータはＭ＝２、Ｎ＝１である。端末機器２０は、ネットワーク機器１０が送信する当該リソースパラメータを受信した後に、第１のリソースユニットの周波数領域リソースのサイズである１５ｋＨｚと時間領域リソースのサイズである７１．３６ｕｓ、およびＭ＝２とＮ＝１に基づき、当該参照信号リソースの周波数領域リソースのサイズを１５ｋＨｚ×２＝３０ｋＨｚ、時間領域リソースのサイズを７１．３６ｕｓ×１＝７１．３６ｕｓに決定する。なお、ネットワーク機器１０が端末機器２０に送信する当該第１のリソースユニットに対応するリソースパラメータは、Ｍ＝４×ｎ、Ｎ＝２×ｍ等とすることもでき、ｎおよびｍはともに偶数である。
【００２６】
なお、当該実施例では、当該リソースパラメータはさらに、当該参照信号リソースの時間領域リソースのサイズと当該第１のリソースユニットの時間領域リソースのサイズとの差値、および当該参照信号リソースの周波数領域リソースのサイズと当該第１のリソースユニットの周波数領域リソースのサイズとの差値を含んでもよい。
【００２７】
または、当該リソースパラメータはさらに、当該参照信号リソースの時間領域リソースのサイズと当該第１のリソースユニットの時間領域リソースのサイズの関係を明瞭に表示可能なその他のパラメータ、および当該参照信号リソースの周波数領域リソースのサイズと当該第１のリソースユニットの周波数領域リソースのサイズの関係を明瞭に表示可能なその他のパラメータを含んでもよい。
【００２８】
一つの実施形態において、端末機器が第１のセルに対応する第１のリソースユニットを決定する前に、前記方法がさらに、前記端末機器が、前記ネットワーク機器が送信する前記少なくとも１つの第２のリソースユニットの時間−周波数リソースの情報を受信するステップを含み、
前記端末機器が前記第１のリソースユニットに基づき、参照信号リソースを決定する前記ステップは、前記端末機器が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定することと、前記端末機器が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定することとを含む。
【００２９】
例えば、互いに隣接するｎ個のセルが存在し、ｎ個の基本パラメータセットに対応し、これらｎ個の基本パラメータセットにおける少なくとも２つの基本パラメータセットは異なり、対応するサブキャリア幅（ｓｕｂｃａｒｒｉｅｒ  ｓｐａｃｉｎｇ）、およびシンボル長とサイクリックプレフィックス長との和がそれぞれ（Ｆ１，Ｔ１）、（Ｆ２，Ｔ２）…（Ｆｎ，Ｔｎ）である場合に、ステップ４５０の形態２において、端末機器２０が決定する参照信号リソースの周波数領域リソースのサイズおよび時間領域リソースのサイズはそれぞれ、Ｆ（ＣＳＩ−ＲＳ）＝Ｍａｘ（Ｆ１…Ｆｎ）、Ｔ（ＣＳＩ−ＲＳ）＝Ｍａｘ（Ｔ１…Ｔｎ）という関係を満たす。ここで、Ｆ（ＣＳＩ−ＲＳ）は参照信号リソースの周波数領域の幅であり、Ｔ（ＣＳＩ−ＲＳ）は参照信号リソースの時間領域の幅であり、Ｍａｘ（ｘ）は挙げられるパラメータのうちの最大値である。上記の関係により、ネットワーク機器１０は、セルエッジにおける端末機器２０が測定すべき異なるリソースユニットの時間−周波数リソース情報のリストをブロードキャストするだけで、端末機器２０が上記の関係に基づき参照信号リソースの時間−周波数リソースを推定することができる。
【００３０】
一つの実施形態において、前記方法がさらに、前記端末機器が、前記ネットワーク機器が送信する、前記参照信号リソースの時間領域における分布周期と前記参照信号リソースの周波数領域における分布周期とを含む設定情報を受信するステップを含み、
前記端末機器が前記参照信号リソースにおいて、ネットワーク機器が送信する参照信号を受信する前記ステップは、前記端末機器が前記設定情報に基づき、周期的に分布する複数の前記参照信号リソースにおいて、前記ネットワーク機器が送信する前記参照信号を受信することを含む。
【００３１】
一つの実施形態において、前記参照信号がセル固有参照信号ＣＲＳ、チャネル品質測定用参照信号ＣＳＩ−ＲＳおよび復調用参照信号ＤＭＲＳのうちの少なくとも１種を含む。
【００３２】
一つの実施形態において、前記参照信号がゼロ電力参照信号または非ゼロ電力参照信号を含む。
【００３３】
一つの実施形態において、前記方法がセル間協調送受信ＣｏＭＰに用いられ、前記第２のセルが前記第１のセルに隣接するセルである。
【００３４】
第３の態様として、前記第１の態様および第１の態様の各種実施形態による参照信号の伝送方法におけるネットワーク機器により実行される各プロセスを実行するためのネットワーク機器を提供する。当該ネットワーク機器は、決定モジュールと、送信モジュールとを含み、前記決定モジュールは、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、前記第１のリソースユニットおよび前記少なくとも１つの第２のリソースユニットにおいて、時間領域リソースが最大であるリソースユニット、および周波数領域リソースが最大であるリソースユニットを決定し、前記時間領域リソースが最大であるリソースユニット、および前記周波数領域リソースが最大であるリソースユニットに基づき、参照信号リソースを決定し、前記送信モジュールは、前記参照信号リソースにおいて端末機器に参照信号を送信する。
【００３５】
第４の態様として、前記第１の態様および第１の態様の各種実施形態による参照信号の伝送方法におけるネットワーク機器により実行される各プロセスを実行するためのネットワーク機器を提供する。当該ネットワーク機器は、プロセッサと、受送信機とを含み、前記プロセッサは、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、前記第１のリソースユニットおよび前記少なくとも１つの第２のリソースユニットにおいて、時間領域リソースが最大であるリソースユニット、および周波数領域リソースが最大であるリソースユニットを決定し、前記時間領域リソースが最大であるリソースユニット、および前記周波数領域リソースが最大であるリソースユニットに基づき、参照信号リソースを決定し、前記受送信機は、前記参照信号リソースにおいて端末機器に参照信号を送信する。
【００３６】
第５の態様として、前記第２の態様および第２の態様の各種実施形態による参照信号の伝送方法における端末機器により実行される各プロセスを実行するための端末機器を提供する。当該端末機器は、決定モジュールと、受信モジュールとを含み、前記決定モジュールは、第１のセルに対応する第１のリソースユニットを決定し、前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、前記受信モジュールは、前記参照信号リソースにおいて、前記第１のセルのネットワーク機器が送信する参照信号を受信する。
【００３７】
第６の態様として、前記第２の態様および第２の態様の各種実施形態による参照信号の伝送方法における端末機器により実行される各プロセスを実行するための端末機器を提供する。当該端末機器は、プロセッサと、受送信機とを含み、前記プロセッサは、第１のセルに対応する第１のリソースユニットを決定し、前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、受送信機は、前記参照信号リソースにおいて、前記第１のセルのネットワーク機器が送信する参照信号を受信する。
【００３８】
第７の態様として、ネットワーク機器に上記第１の態様、および第１の態様の各種実施形態による参照信号の伝送方法のいずれかを実行させるためのプログラムが記憶されるコンピュータ読み取り可能な記憶媒体を提供する。
【００３９】
本発明の第８の態様として、端末機器に上記第２の態様、および第２の態様の各種実施形態による参照信号の伝送方法のいずれかを実行させるためのプログラムが記憶されるコンピュータ読み取り可能な記憶媒体を提供する。
【発明の効果】
【００４０】
本発明の実施例による方法において、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【図面の簡単な説明】
【００４１】
本発明の実施例に係る発明を明瞭に説明するために、本発明の実施例に用いる図面を簡単に説明する。当然ながら、以下の説明に係る図面は、本発明の一部の実施例に過ぎず、当業者であれば、創造的な作業を行うことなく、これらの図面からその他の図面を得ることもできる。
【図１】本発明の実施例における一つの応用場面の概略図である。
【図２（ａ）】従来技術におけるセルの干渉が存在する時にＣＳＩ−ＲＳに基づきチャネルの品質測定を行うことの概略図である。
【図２（ｂ）】従来技術におけるセルの干渉が存在する時にＣＳＩ−ＲＳに基づきチャネルの品質測定を行うことの概略図である。
【図３】異なる基本パラメータセットが存在する時の、参照信号の伝送に与える影響を示す概略図である。
【図４】本発明の実施例による参照信号の伝送方法のフローチャートである。
【図５】本発明の実施例による異なる基本パラメータセットに基づく参照信号リソースの概略図である。
【図６】本発明の実施例における参照信号リソースの決定のフローチャートである。
【図７】本発明の別の実施例における参照信号リソースの決定のフローチャートである。
【図８】本発明の実施例によるネットワーク機器の構造を示すブロック図である。
【図９】本発明の実施例によるネットワーク機器の構造を示すブロック図である。
【図１０】本発明の実施例におけるシステムチップの構造を示す概略図である。
【図１１】本発明の実施例による端末機器の構造を示すブロック図である。
【図１２】本発明の実施例による端末機器の構造を示すブロック図である。
【図１３】本発明の実施例によるシステムチップの構造を示す概略図である。
【発明を実施するための形態】
【００４２】
本項では、本発明の実施例における図面を参照しながら、実施例による発明を明瞭でかつ完全に説明する。当然ながら、説明される実施例は、本発明の全ての実施例ではなく、その一部に過ぎない。当業者がこれらの実施例に基づき、創造的な作業を行うことなく得られるその他の全ての実施例は、いずれも本発明の保護範囲に含まれる。
【００４３】
本願の実施例に係る発明は、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）等既存の通信システム、５Ｇシステムなどさまざまな通信システムに用いることができる。
【００４４】
本発明の実施例による端末機器は、ユーザ機器（Ｕｓｅｒ  Ｅｑｕｉｐｍｅｎｔ、略称ＵＥ）、アクセス端末、ユーザユニット、加入者局、移動局、遠隔局、遠隔端末、移動機器、ユーザ端末、端末、無線通信機器、ユーザ代理機器、またはユーザ機器とすることができる。そのうちアクセス端末は、セルラーホン、コードレス電話、セッション開始プロトコル（Ｓｅｓｓｉｏｎ  Ｉｎｉｔｉａｔｉｏｎ  Ｐｒｏｔｏｃｏｌ、略称ＳＩＰ）電話、無線ローカルループ（Ｗｉｒｅｌｅｓｓ  Ｌｏｃａｌ  Ｌｏｏｐ、略称ＷＬＬ）局、携帯情報端末（Ｐｅｒｓｏｎａｌ  Ｄｉｇｉｔａｌ  Ａｓｓｉｓｔａｎｔ、略称ＰＤＡ）、無線通信機能を備えるハンドヘルド機器、コンピューティング機器、無線モデムに接続されるその他の処理機器、車載機器、ウェアラブル端末、５Ｇネットワークにおいて動作する端末機器または地上波公共移動通信ネットワーク（Ｐｕｂｌｉｃ  Ｌａｎｄ  Ｍｏｂｉｌｅ  Ｎｅｔｗｏｒｋ、略称ＰＬＭＮ）において動作する端末機器等とすることができる。
【００４５】
本発明の実施例によるネットワーク機器は、端末機器と通信するための機器とすることができる。当該ネットワーク機器は、ＧＳＭもしくはＣＤＭＡにおいて動作する基地局（Ｂａｓｅ  Ｔｒａｎｓｃｅｉｖｅｒ  Ｓｔａｔｉｏｎ、略称ＢＴＳ）、ＷＣＤＭＡシステムにおいて動作する基地局（ＮｏｄｅＢ、略称ＮＢ）、ＬＴＥシステムにおいて動作する進化型基地局（Ｅｖｏｌｕｔｉｏｎａｌ  ＮｏｄｅＢ、略称ｅＮＢまたはｅＮｏｄｅＢ）、またはクラウド無線アクセスネットワーク（Ｃｌｏｕｄ  Ｒａｄｉｏ  Ａｃｃｅｓｓ  Ｎｅｔｗｏｒｋ、略称ＣＲＡＮ）において動作する無線コントローラとすることができ、中継局、アクセスポイント、車載機器、ウェアラブル端末および５Ｇネットワーク対応のネットワーク機器またはＰＬＭＮネットワークにおいて動作するネットワーク機器等とすることもできる。
【００４６】
図１は、本発明の実施例における一つの応用場面の概略図である。図１に示す場面は、例えばセル間協調送受信（Ｃｏｏｒｄｉｎａｔｅｄ  Ｍｕｌｔｉｐｌｅ  Ｐｏｉｎｔｓ、略称ＣｏＭＰ）システムとすることができる。図１によると、当該場面は、ネットワーク機器１０と、ネットワーク機器１０がカバーするセルエッジに位置する端末機器２０と、ネットワーク機器３０と、ネットワーク機器３０がカバーするセル内に位置する端末機器（図示せず）とを含む。そのうち、ネットワーク機器１０がカバーするセルは第１のセルであり、ネットワーク機器３０がカバーするセルは第２のセルであり、第１のセルエッジの端末機器２０および第２のセル内の端末機器（図示せず）がデータを伝送する時に使用する基本パラメータセットは異なってもよい。以下、ネットワーク機器１０および端末機器２０を例として説明する。端末機器２０は、ネットワーク機器１０およびネットワーク機器３０が送信する参照信号を同時に受信し、且つ受信した参照信号に基づきチャネル測定を行うことができる。例えば、端末機器２０は、第２のセルの干渉が存在する時のチャネル品質を測定するか、または第２のセルの干渉が存在しない時のチャネル品質を測定することができる。
【００４７】
なお、図１に示す例は、当業者が本発明の実施例の理解を可能にするためのものに過ぎず、本発明の実施例の範囲を限定するものではない。例えば、図１では、２つのネットワーク機器および１つの端末機器のみを示しているが、本発明の実施例におけるネットワーク機器および端末機器の数はこれに限定されず、それぞれのネットワーク機器がカバーするセル内により多くの数の端末機器が存在してもよく、同一の端末機器にデータサービスを提供するより多くのネットワーク機器が存在してもよい。また例えば、本発明の実施例による方法は、セル間協調送受信ＣｏＭＰ通信に用いるが、当然ながら、それ以外の如何なる通信システムに用いることもでき、本発明は、これについて特に限定しない。以下、ＣｏＭＰ通信を例として、図１を参照しながら説明する。
【００４８】
ＬＴＥシステムにおいて、セル固有参照信号（Ｃｅｌｌ  Ｓｐｅｃｉｆｉｃ  ＲＳ、略称ＣＲＳ）、チャネル品質測定用参照信号（Ｃｈａｎｎｅｌ  Ｓｔａｔｅ  Ｉｎｆｏｒｍａｔｉｏｎ  ＲＳ、略称ＣＳＩ−ＲＳ）および復調用参照信号（Ｄｅｍｏｄｕｌａｔｉｏｎ  ＲＳ、略称ＤＭＲＳ）の３種類の下りリンク参照信号が存在する。そのうち、ＣＲＳおよびＣＳＩ−ＲＳは、セル内にブロードキャストされる共通参照信号であり、主には端末機器がチャネル品質（Ｃｈａｎｎｅｌ  Ｓｔａｔｅ  Ｉｎｆｏｒｍａｔｉｏｎ、略称ＣＳＩ）を測定するために用いる。ＬＴＥシステムでは、端末機器がＣＲＳまたはＣＳＩ−ＲＳに基づきチャネル品質を測定し、ネットワーク機器に周期的または非周期的にチャネル品質を報告することができる。
【００４９】
ＣＳＩ−ＲＳを例とすると、例えばＣｏＭＰをサポートするセルの場合に、端末機器はＣＳＩ−ＲＳを利用して各セルの信号および干渉の強度を測定し、且つネットワーク機器に報告する。端末機器がセルエッジに位置する時に、ネットワーク機器は端末機器において非ゼロ電力ＣＳＩ−ＲＳ（ｎｏｎ−ｚｅｒｏ−ｐｏｗｅｒ  ＣＳＩ−ＲＳ）およびゼロ電力ＣＳＩ−ＲＳ（ｚｅｒｏ−ｐｏｗｅｒ  ＣＳＩ−ＲＳ）を設定することにより、端末機器が異なるセルからの信号干渉について正確に測定することができる。図２（ａ）および図２（ｂ）はそれぞれ、セル干渉が存在する時にＣＳＩ−ＲＳに基づきチャネル測定を行うことの概略図である。図２（ａ）に示すとおりにＣＳＩ−ＲＳを設定する場合に、第１のセルの端末機器は第３のセルの干渉が存在する時の第１のセルのチャネル品質を測定し、第２のセルの端末機器はゼロ電力ＣＳＩ−ＲＳにおいて第１のセルおよび第３のセルの干渉が存在する時のチャネル品質を測定し、第３のセルの端末機器は第１のセルの干渉が存在する時のチャネル品質を測定することができる。図２（ｂ）に示すとおりにＣＳＩ−ＲＳを設定する場合に、第１のセルの端末機器は隣接するセルの干渉が存在しない時の第１のセルのチャネル品質を測定し、第２のセルおよび第３のセルの端末はゼロ電力ＣＳＩ−ＲＳにおいて第１のセルの干渉が存在する時のチャネル品質を測定することができる。
【００５０】
ＬＴＥシステムにおいて、異なるセルの端末機器に設定されるＣＳＩ−ＲＳは、時間−周波数位置においてアライメントされるため、端末機器がチャネル品質を測定する時に、隣接するセルでのデータ伝送により影響を受けることが避けられる。これから登場する５Ｇシステムはさまざまな基本パラメータセットをサポートし、隣接するセルに位置する端末機器がそれぞれ異なる基本パラメータセットを使用する場合に、基本パラメータセットが異なるため、ＣＳＩ−ＲＳが占有するリソース元素（Ｒｅｓｏｕｒｃｅ  Ｅｌｅｍｅｎｔ、略称ＲＥ）は、時間−周波数位置においてアライメントすることができない。例えば、図３は、異なる基本パラメータセットが存在する時の、参照信号の伝送に与える影響を示す。図３によると、サブキャリアの間隔を例とする場合に、第１のセルの端末機器の使用する基本パラメータセットにおけるサブキャリアの間隔は１５ｋＨｚであり、第２のセルの端末機器の使用する基本パラメータセットにおけるサブキャリアの間隔は３０ｋＨｚであり、ＬＴＥシステムにおける従来の方式によりＣＳＩ−ＲＳを設定すると、端末機器がセルのチャネル品質を測定するプロセスで隣接するセルでのデータ伝送により干渉を受けることになる。
【００５１】
本発明の実施例では、ネットワーク機器が端末機器の使用する基本パラメータセットに基づき、参照信号を伝送するための時間−周波数リソースを設定することにより、端末機器が参照信号を受信する時に、その他の基本パラメータセットに基づくデータ伝送により影響を受けることが避けられる。
【００５２】
なお、本発明の実施例で隣接するセルとは、異なるセルにおける各セルがカバーする範囲が一部重畳すること、または異なるセル間に、その他のセルでの信号伝送に干渉を与えるのに十分な距離があることを言うが、本発明はこれについて限定しない。さらに、本発明の実施例による方法は、如何なる通信場面でも用いることができ、参照信号の伝送に係るセルは如何なるセルとすることもできる。特に、ＣｏＭＰ伝送に用いる場合に、参照信号の伝送に係る異なるセルは、隣接するセルとすることもできる。
【００５３】
図４は、本発明の実施例による参照信号の伝送方法のフローチャートである。図４には、第１のセルのネットワーク機器１０および端末機器２０が示される。図４によると、当該参照信号の伝送のプロセスは、ステップ４１０〜ステップ４３０を含む。
【００５４】
ステップ４１０：第１のセルのネットワーク機器１０が、第１のセルに対応する第１のリソースユニット、および少なくとも１つの第２のセルに対応する少なくとも１つの第２のリソースユニットを決定する。
【００５５】
当該第２のセルは当該第１のセルに隣接するセルであり、当該第１のリソースユニットの時間−周波数リソースのサイズは、当該少なくとも１つの第２のリソースユニットの時間−周波数リソースのサイズと異なる。
【００５６】
具体的には、５Ｇシステムにおいて、異なるセルのリソースユニット（略称ＲＥ）は異なってもよい。第１のセルに隣接する全てのセルでは、少なくとも一部のセルのリソースユニットが第１のセルのリソースユニットと異なり、当該少なくとも１つの第２のセルが第１のセルのリソースユニットと異なるセルである。本発明の実施例では、当該第１のセルおよび少なくとも１つの第２のセルを例として説明し、前記第１のセルのリソースユニットが隣接するセルのリソースユニットと同一である場合に、本発明の実施例の方法により実施するか、または従来技術に基づく方法により実施することもできるが、本開示はこれについて限定しない。
【００５７】
一つの実施形態において、当該第１のリソースユニットの時間領域リソースのサイズが、当該第１のセルの使用する基本パラメータセットにおけるシンボル長とサイクリックプレフィックス長との和に等しく、および／または、当該第１のリソースユニットの周波数領域リソースのサイズが、当該第１のセルの使用する基本パラメータセットにおけるサブキャリアの間隔のサイズに等しく、
当該少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、当該少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【００５８】
例えば、図１には第１のセル、および少なくとも１つの第２のセルにおける任意の第２のセルだけが示される。端末機器２０は、第１のセルエッジに位置する端末機器であり、当該第２のセルは第１のセルに隣接するセルであり、端末機器２０は第１のセルのネットワーク機器１０および第２のセルのネットワーク機器３０が送信する参照信号を同時に受信し、且つ受信した参照信号に基づきチャネル測定を行うことができる。なお、第１のセルに設定されるデータを伝送するための基本パラメータセットは第１の基本パラメータセットであり、第２のセルに設定されるデータを伝送するための基本パラメータセットは第２の基本パラメータセットであり、且つ当該第１の基本パラメータセットと当該第２の基本パラメータセットは異なる。さらに、当該第１の基本パラメータセットおよび第２の基本パラメータセットはそれぞれ、サブキャリアの間隔、またはシンボル長およびサイクリックプレフィックス長を含み、且つこの３つのパラメータにおける少なくとも１つのパラメータが異なる。
【００５９】
具体的には、第１のセルに位置する端末機器がネットワーク機器１０とデータ交換を行うプロセスで、第１の基本パラメータセットを使用して、第１の基本パラメータセットにおけるパラメータ、例えばサブキャリアの間隔、またはシンボル長およびサイクルプレフィックス（Ｃｙｃｌｉｃ  Ｐｒｅｆｉｘ、略称ＣＰ）長によりデータの伝送を行うことができる。この時に、当該第２のセルに位置する端末機器（図示せず）がネットワーク機器３０とデータ伝送を行うために使用する基本パラメータセットは第２の基本パラメータセットである。当該第２の基本パラメータセットは、第１の基本パラメータセットと異なる基本パラメータセットである。例えば、シンボル長とサイクルプレフィックスＣＰ長との和が異なり、および／またはサブキャリアの間隔が異なる。したがって、第１の基本パラメータセットを使用する第１のセルの第１のリソースユニットは、第２の基本パラメータセットを使用する第２のセルの第２のリソースユニットと異なるリソースユニットであり、第１のリソースユニットの時間−周波数リソースのサイズは第２のリソースユニットの時間−周波数リソースのサイズと異なる。例えば、図３に示すように、第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１の基本パラメータセットを使用するセルの第１のリソースユニット（図３中の左図の陰影部分）の周波数領域リソースのサイズは１５ｋＨｚであり、時間領域リソースのサイズは７１．３６ｕｓであり、第２の基本パラメータセットを使用するセルの第２のリソースユニット（図３中の右図の陰影部分）の周波数領域リソースのサイズは３０ｋＨｚであり、時間領域リソースのサイズは３５．６８ｕｓである。
【００６０】
ステップ４２０：ネットワーク機器１０が、当該第１のリソースユニットおよび当該少なくとも１つの第２のリソースユニットにおいて、時間領域リソースが最大であるリソースユニット、および周波数領域リソースが最大であるリソースユニットを決定する。
【００６１】
具体的には、ネットワーク機器１０が、当該第１のリソースユニットおよび当該少なくとも１つの第２のリソースユニットにおいて、時間領域リソースが最大であるリソースユニット、および周波数領域リソースが最大であるリソースユニットを決定することにより、時間領域リソースが最大であるリソースユニットおよび周波数領域リソースが最大であるリソースユニットに基づき、参照信号リソースを決定することができる。
【００６２】
ステップ４３０：ネットワーク機器１０が、当該時間領域リソースが最大であるリソースユニット、および当該周波数領域リソースが最大であるリソースユニットに基づき、参照信号リソースを決定する。
【００６３】
具体的には、ネットワーク機器１０が、当該第１のリソースユニットおよび当該少なくとも１つの第２のリソースユニットにおいて、時間領域リソースが最大であるリソースユニット、および周波数領域リソースが最大であるリソースユニットを決定し、且つ当該時間領域リソースが最大であるリソースユニット、および当該周波数領域リソースが最大であるリソースユニットに基づき、参照信号を伝送するための当該参照信号リソースを決定する。
【００６４】
なお、当該参照信号リソースの時間領域リソースのサイズは、当該第１のリソースユニットおよび少なくとも１つの第２のリソースユニットにおける時間領域リソースが最大であるリソースユニットの時間領域リソースのサイズに等しく、または当該時間領域リソースが最大であるリソースユニットの時間領域リソースのサイズの偶数倍に等しく、当該参照信号リソースの周波数領域リソースのサイズは、第１のリソースユニットおよび少なくとも１つの第２のリソースユニットにおける周波数領域リソースが最大であるリソースユニットの周波数領域リソースのサイズに等しく、または周波数領域リソースが最大であるリソースユニットの周波数領域リソースのサイズの偶数倍に等しく、当該少なくとも１つの第２のリソースユニットは少なくとも１つの第２のセルに対応するリソースユニットである。
【００６５】
一つの実施形態において、前記ネットワーク機器が、前記時間領域リソースが最大であるリソースユニットおよび前記周波数領域リソースが最大であるリソースユニットに基づき、参照信号リソースを決定する前記ステップは、前記ネットワーク機器が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定することを含む。
【００６６】
具体的には、第１のリソースユニットおよび少なくとも１つの第２のリソースユニットにおいて第１のリソースユニットの時間領域リソースがより大きい場合に、当該参照信号リソースの時間領域リソースのサイズは、当該第１のリソースユニットの時間領域リソースのサイズに等しく、または当該第１のリソースユニットの時間領域リソースのサイズの偶数倍に等しい。第１のリソースユニットおよび少なくとも１つの第２のリソースユニットにおいて少なくとも１つの第２のリソースユニットにおけるある第２のリソースユニットの時間領域リソースが最大である場合に、当該参照信号リソースの時間領域リソースのサイズは、当該時間領域リソースが最大である第２のリソースユニットの時間領域リソースのサイズに等しく、または当該時間領域リソースが最大である第２のリソースユニットの時間領域リソースのサイズの偶数倍に等しい。同様に、第１のリソースユニットおよび少なくとも１つの第２のリソースユニットにおいて第１のリソースユニットの周波数領域リソースがより大きい場合に、当該参照信号リソースの周波数領域リソースのサイズは、当該第１のリソースユニットの周波数領域リソースのサイズに等しく、または当該第１のリソースユニットの周波数領域リソースのサイズの偶数倍に等しい。第１のリソースユニットおよび少なくとも１つの第２のリソースユニットにおいて少なくとも１つの第２のリソースユニットにおけるある第２のリソースユニットの周波数領域リソースがより大きい場合に、当該参照信号リソースの周波数領域リソースのサイズは、当該周波数領域リソースが最大である第２のリソースユニットの周波数領域リソースのサイズに等しく、または当該周波数領域リソースが最大である第２のリソースユニットの周波数領域リソースのサイズの偶数倍に等しい。
【００６７】
例えば、図５は、本発明の実施例による異なる基本パラメータセットに基づく参照信号リソースの概略図を示す。図５には、第１のセルおよび少なくとも１つのセルにおける任意の第２のセルの参照信号リソースだけが示される。第１のセルは、第１の基本パラメータセットを使用してデータの伝送を行い、当該第２のセルは、第２の基本パラメータセットを使用してデータの伝送を行う。第１の基本パラメータセットのサブキャリアの間隔は１５ｋＨｚであり、シンボル長は６６．６７ｕｓであり、ＣＰ長は４．６８７ｕｓであり、第２の基本パラメータセットのサブキャリアの間隔は３０ｋＨｚであり、シンボル長は３３．３３ｕｓであり、ＣＰ長は２．３４４ｕｓである。ネットワーク機器１０が第１の基本パラメータセットに基づき決定した第１のリソースユニットの周波数領域リソースのサイズは１５ｋＨｚであり、時間領域リソースのサイズは７１．３６ｕｓであり、第２の基本パラメータセットに基づき決定した第２のリソースユニットの周波数領域リソースのサイズは３０ｋＨｚであり、時間領域リソースのサイズは３５．６８ｕｓである。以上から分かるように、第２のリソースユニットの周波数領域リソースのサイズが第１のリソースユニットの周波数領域リソースのサイズより大きいため、当該参照信号リソースの周波数領域リソースのサイズは、第２のリソースユニットの周波数領域リソースのサイズに等しい。第１のリソースユニットの時間領域リソースのサイズが第２のリソースユニットの時間領域リソースのサイズより大きいため、当該参照信号リソースの時間領域リソースのサイズは、第１のリソースユニットの時間領域リソースのサイズに等しい。図５に示すように、当該参照信号リソースの周波数領域リソースのサイズは３０ｋＨｚであり、時間領域リソースのサイズは７１．３６ｕｓである。または、当該参照信号の周波数領域リソースのサイズは、３０ｋＨｚの偶数倍、例えば６０ｋＨｚであり、および／または当該参照信号の時間領域リソースのサイズは、７１．３６ｕｓの偶数倍、例えば１４２．７２ｕｓである。
【００６８】
言い換えれば、第１のセルにおける参照信号を伝送するための参照信号リソースは、第２のセルにおける参照信号を伝送するための参照信号リソースと同一であり、すなわち時間−周波数域においてアライメントされるように、当該参照信号リソースの時間−周波数リソースのサイズは、少なくとも１つの第１のリソースユニットの時間−周波数リソースのサイズに等しく、且つ少なくとも１つの第２のリソースユニットの時間−周波数リソースのサイズに等しくすべきである。
【００６９】
なお、ここでシンボル長とサイクリックプレフィックス長との和とは、同一の基本パラメータセットにおけるシンボル長およびサイクルプレフィックスに対して言うものであり、且つ異なる基本パラメータセットにおけるＣＰ長が当該基本パラメータセットにおけるシンボル長に占める割合は、一定とすることができる。例えば、基本パラメータセットにおけるＣＰ長がシンボル長の約７％であり、第１の基本パラメータセットのシンボル長が６６．６７ｕｓである場合に、ＣＰ長は４．６８７ｕｓであり、第１の基本パラメータセットに対応する第１のリソースユニットの時間領域リソースのサイズは７１．３６ｕｓである。第２の基本パラメータセットのシンボル長が３３．３３ｕｓである場合に、ＣＰ長は２．３４４ｕｓであり、第２の基本パラメータセットに対応する第２のリソースユニットの時間領域リソースのサイズは３５．６８ｕｓである。当然ながら、異なる基本パラメータセットにおけるＣＰ長が当該基本パラメータセットにおけるシンボル長に占める割合は、実際の状況に応じて決定することもでき、ただしサブフレーム長が１ｍｓであるということを満たせばよい。
【００７０】
なお、ここで図１に示す第１のセルに干渉を与える任意の第２のセルを例として説明するが、本発明の実施例の方法は複数のセル間において参照信号を伝送するために用いることもできる。例えば、互いに隣接する第１のセル、第２のセルおよび第３のセルが存在する場合に、ステップ４３０でネットワーク機器１０が、これら３つのセルにそれぞれ対応する３つのリソースユニットにおける時間領域リソースが最大であるリソースユニットの時間領域リソースのサイズを当該参照信号リソースの時間領域リソースのサイズとして決定し、且つこれら３つのリソースユニットにおける周波数領域リソースが最大であるリソースユニットの周波数領域リソースのサイズを当該参照信号リソースの周波数領域リソースのサイズとして決定する。これにより、これら３つのセルのネットワーク機器は、当該参照信号リソースにおいて同時に端末機器２０に参照信号を送信することにより、端末機器２０がこれら参照信号に基づきその時のチャネル品質を測定することができる。
【００７１】
端末機器２０は、ネットワーク機器１０が送信する参照信号を受信するために、当該参照信号を受信するための参照信号リソースを決定する必要もある。
【００７２】
ステップ４４０：端末機器２０が第１のセルに対応する第１のリソースユニットを決定する。
【００７３】
なお、当該第１のリソースユニットの時間−周波数リソースは、少なくとも１つの第２のリソースユニットの時間−周波数リソースのサイズと異なり、当該少なくとも１つの第２のリソースユニットは、少なくとも１つの第２のセルの使用する少なくとも１つの第２の基本パラメータセットのそれぞれに対応するリソースユニットである。
【００７４】
また図１に示すように、第１のセルに位置する端末機器２０は、ネットワーク機器１０とデータ交換を行うプロセスで、第１の基本パラメータセットを使用して、第１の基本パラメータセットにおけるパラメータ、例えばサブキャリアの間隔、シンボル長およびＣＰ長に基づきデータ伝送を行うことができる。この時に、第２のセルに位置する端末機器（図示せず）がネットワーク機器３０とデータ伝送を行うために使用する基本パラメータセットは第２の基本パラメータセットである。当該第２の基本パラメータセットは、第１の基本パラメータセットと異なる基本パラメータセットであり、例えば、シンボル長とサイクルプレフィックスＣＰ長との和が異なり、および／またはサブキャリアの間隔が異なる。したがって、第１の基本パラメータセットを使用する第１のセルの第１のリソースユニットは、第２の基本パラメータセットを使用する第２のセルの第２のリソースユニットと異なるリソースユニットであり、第１のリソースユニットの時間−周波数リソースのサイズは、第２のリソースユニットの時間−周波数リソースのサイズと異なる。例えば、図３に示すように、第１の基本パラメータセットにおけるサブキャリアの間隔は１５ｋＨｚであり、シンボル長は１／１５ｋＨｚすなわち６６．６７ｕｓであり、ＣＰ長は４．６８７ｕｓであり、第２の基本パラメータセットにおけるサブキャリアの間隔は３０ｋＨｚであり、シンボル長は１／３０ｋＨｚすなわち３３．３３ｕｓであり、ＣＰ長は２．３４４ｕｓである。したがって、第１の基本パラメータセットを使用するセルの第１のリソースユニット（図３中の左図の陰影部分）の周波数領域リソースのサイズは１５ｋＨｚであり、時間領域リソースのサイズは７１．３６ｕｓであり、第２の基本パラメータセットを使用するセルの第２のリソースユニット（図３中の右図の陰影部分）の周波数領域リソースのサイズは３０ｋＨｚであり、時間領域リソースのサイズは３５．６８ｕｓである。
【００７５】
一つの実施形態において、ステップ４４０で、端末機器２０が当該第１のリソースユニットを決定することは、ネットワーク機器１０が端末機器２０に第１のリソースユニットの時間−周波数リソースの情報を送信し、端末機器２０が当該第１のリソースユニットの時間−周波数リソースの情報を受信し、且つ当該時間−周波数リソースの情報に基づき参照信号リソースを決定するようにすることができ、端末機器２０自体が第１の基本パラメータセットに基づき当該第１のリソースユニットを決定することもできる。
【００７６】
ステップ４５０：端末機器２０が当該第１のリソースユニットに基づき、参照信号リソースを決定する。
【００７７】
なお、当該参照信号リソースの時間領域リソースのサイズは、当該第１のリソースユニットおよび少なくとも１つの第２のリソースユニットにおける時間領域リソースが最大であるリソースユニットの時間領域リソースのサイズに等しく、または当該時間領域リソースが最大であるリソースユニットの時間領域リソースのサイズの偶数倍に等しく、当該参照信号リソースの周波数領域リソースのサイズは、当該第１のリソースユニットおよび少なくとも１つの第２のリソースユニットにおける周波数領域リソースが最大であるリソースユニットの周波数領域リソースのサイズに等しく、または当該周波数領域リソースが最大であるリソースユニットの周波数領域リソースのサイズの偶数倍に等しく、当該少なくとも１つの第２のリソースユニットは少なくとも１つの第２のセルに対応するリソースユニットである。
【００７８】
ステップ４５０では、端末機器２０が当該参照信号リソースを決定することは、以下の２種の形態により実施することができる。以下、図６および図７を参照しながら具体的に説明する。
【００７９】
形態１：
【００８０】
ネットワーク機器１０が端末機器２０に第１のリソースユニットに対応するリソースパラメータを指示し、端末機器２０は当該リソースパラメータに基づき直接参照信号リソースを特定することができる。図６に示す本発明の実施例における参照信号リソースの決定のフローチャートによると、端末機器２０が第１のリソースユニットに基づき、参照信号リソースを決定する。すなわちステップ４５０の前に、当該方法はさらに、ステップ４６１〜ステップ４６３を含む。
【００８１】
ステップ４６１：ネットワーク機器１０が当該第１のリソースユニットに対応するリソースパラメータを決定する。
【００８２】
なお、当該リソースパラメータは、当該参照信号リソースの時間領域リソースのサイズと当該第１のリソースユニットの時間領域リソースのサイズとの第１の比値と、当該参照信号リソースの周波数領域リソースのサイズと当該第１のリソースユニットの周波数領域リソースのサイズとの第２の比値とを含む。
【００８３】
または、当該リソースパラメータは、当該参照信号リソースの時間領域リソースのサイズと当該第１のリソースユニットの時間領域リソースのサイズとの差値と、当該参照信号リソースの周波数領域リソースのサイズと当該第１のリソースユニットの周波数領域リソースのサイズとの差値とを含む。
【００８４】
または、当該リソースパラメータは、当該参照信号リソースの時間領域リソースのサイズと当該第１のリソースユニットの時間領域リソースのサイズの関係を明瞭に表示可能なその他のパラメータ、および当該参照信号リソースの周波数領域リソースのサイズと当該第１のリソースユニットの周波数領域リソースのサイズの関係を明瞭に表示可能なパラメータをさらに含んでもよい。
【００８５】
ステップ４６２：ネットワーク機器１０が端末機器２０に当該リソースパラメータを送信する。
【００８６】
ステップ４６３：端末機器２０が、ネットワーク機器１０が送信する当該リソースパラメータを受信する。
【００８７】
この場合に、ステップ４５０は、ステップ４６４と置き換えることもできる。
【００８８】
ステップ４６４：端末機器２０が当該第１のリソースユニットおよび当該リソースパラメータに基づき、当該参照信号リソースを決定する。
【００８９】
なお、当該リソースパラメータが当該第１の比値と当該第２の比値とを含む場合を例とすると、端末機器２０は、第１のリソースユニットの時間領域リソースのサイズと当該第１の比値との積を当該参照信号リソースの時間領域リソースのサイズとして決定し、且つ第１のリソースユニットの周波数領域リソースのサイズと当該第２の比値との積を当該参照信号リソースの周波数領域リソースのサイズとして決定することができる。
【００９０】
すなわち、端末機器２０は、当該第１のリソースユニットの時間領域リソースのサイズと当該リソースパラメータにおける第１の比値とを乗算して得られた結果を、当該参照信号リソースの時間領域リソースのサイズとし、当該第１のリソースユニットの周波数領域リソースのサイズと当該リソースパラメータにおける第２の比値とを乗算して得られた結果を、当該参照信号リソースの周波数領域リソースのサイズとする。
【００９１】
一つの実施形態において、当該第１のリソースユニットの時間領域リソースのサイズが、当該第１のセルの使用する基本パラメータセットにおけるシンボル長とサイクリックプレフィックス長との和に等しく、および／または、当該第１のリソースユニットの周波数領域リソースのサイズが、当該第１のセルの使用する基本パラメータセットにおけるサブキャリアの間隔のサイズに等しく、当該少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、当該少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【００９２】
また図５に示すように、第１のリソースユニットの周波数領域リソースのサイズは１５ｋＨｚであり、時間領域リソースのサイズは１／１５ｋＨｚすなわち６６．６７ｕｓであり、ＣＰ長は４．６８７ｕｓであり、第２のリソースユニットの周波数領域リソースのサイズは３０ｋＨｚであり、時間領域リソースのサイズは１／３０ｋＨｚすなわち３３．３３ｕｓであり、ＣＰ長は２．３４４ｕｓであり、当該参照信号リソースの時間領域リソースのサイズと前記第１のリソースユニットの時間領域リソースのサイズとの第１の比値がＭであり、当該参照信号リソースの周波数領域リソースのサイズと前記第１のリソースユニットの周波数領域リソースのサイズとの第２の比値がＮであり、ステップ４３０でネットワーク機器１０が決定した当該参照信号リソースの周波数領域リソースのサイズが３０ｋＨｚであり、時間領域リソースのサイズが１／１５ｋＨｚすなわち７１．３６ｕｓであるとした場合に、当該第１のリソースユニットに対応するリソースパラメータとして、Ｍ＝３０ｋＨｚ／１５ｋＨｚ＝２であり、Ｎ＝７１．３６ｕｓ／７１．３６ｕｓ＝１である。
【００９３】
これにより、ネットワーク機器１０が端末機器２０に送信する当該第１のリソースユニットに対応するリソースパラメータは、Ｍ＝２、Ｎ＝１である。端末機器２０は、ネットワーク機器１０が送信する当該リソースパラメータを受信した後に、第１のリソースユニットの周波数領域リソースのサイズである１５ｋＨｚと時間領域リソースのサイズである７１．３６ｕｓ、およびＭ＝２とＮ＝１に基づき、当該参照信号リソースの周波数領域リソースのサイズを１５ｋＨｚ×２＝３０ｋＨｚ、時間領域リソースのサイズを７１．３６ｕｓ×１＝７１．３６ｕｓに決定する。なお、ネットワーク機器１０が端末機器２０に送信する当該第１のリソースユニットに対応するリソースパラメータは、Ｍ＝４×ｎ、Ｎ＝２×ｍ等とすることもでき、ｎおよびｍはともに偶数である。
【００９４】
図５から分かるように、第１のリソースユニットの時間−周波数リソースが第２のリソースユニットの時間−周波数リソースと異なるため、第１のリソースユニットに対応するリソースパラメータが第２のリソースユニットに対応するリソースパラメータとも異なり、第１のリソースユニットに対応するリソースパラメータは、Ｍ＝２、Ｎ＝１であり、第２のリソースユニットに対応するリソースパラメータは、Ｍ＝１、Ｎ＝２である。
【００９５】
形態２：
【００９６】
端末機器２０が参照信号リソースを決定するもう一つの形態は、端末機器２０自体が第１のリソースユニットおよび少なくとも１つの第２のリソースユニットに基づき参照信号リソースを決定することである。図７は、本発明の別の実施例における参照信号リソースの決定のフローチャートを示す。
【００９７】
端末機器２０が第１のリソースユニットに基づき参照信号リソースを決定する前に、前記方法はさらに、ステップ４６５およびステップ４６６を含む。
【００９８】
ステップ４６５：端末機器２０が、ネットワーク機器１０が送信する少なくとも１つの第２のリソースユニットの時間−周波数リソースの情報を受信する。
【００９９】
この場合に、ステップ４５０は、ステップ４６５と、ステップ４６６とを含み、すなわちステップ４６０は、ステップ４６５およびステップ４６６と置き換えることもできる。
【０１００】
ステップ４６６：端末機器２０が、第１のリソースユニットおよび少なくとも１つの第２のリソースユニットにおいて、時間領域リソースが最大であるリソースユニットの時間領域リソースのサイズ、および周波数領域リソースが最大であるリソースユニットの周波数領域リソースのサイズを決定する。
【０１０１】
ステップ４６７：端末機器２０が、当該時間領域リソースが最大であるリソースユニットの時間領域リソースのサイズを当該参照信号リソースの時間領域リソースのサイズとして決定し、且つ当該周波数領域リソースが最大であるリソースユニットの周波数領域リソースのサイズを当該参照信号リソースの周波数領域リソースのサイズとして決定する。
【０１０２】
具体的には、端末機器２０が当該第１のリソースユニットの時間−周波数リソースの情報、および少なくとも１つの第２のリソースユニットの時間−周波数リソースの情報を取得し、且つこれら時間−周波数リソースの情報に基づき当該参照信号リソースを決定する。なお、第１のリソースユニットの時間−周波数リソースの情報は、第１のリソースユニットの時間領域リソース情報および／または周波数領域リソース情報を含んでもよいが、少なくとも１つの第２のリソースユニットの時間−周波数リソースの情報は、少なくとも１つの第２のリソースユニットにおけるそれぞれの第２のリソースユニットの時間領域リソース情報および／または周波数領域リソース情報を含んでもよい。端末機器２０は、第１のリソースユニットの時間−周波数リソースの情報および少なくとも１つの第２のリソースユニットの時間−周波数リソースの情報に基づき、当該参照信号リソースを決定することができる。
【０１０３】
一つの実施形態において、当該第１のリソースユニットの時間領域リソースのサイズが、当該第１のセルの使用する基本パラメータセットにおけるシンボル長とサイクリックプレフィックス長との和に等しく、および／または、当該第１のリソースユニットの周波数領域リソースのサイズが、当該第１のセルの使用する基本パラメータセットにおけるサブキャリアの間隔のサイズに等しく、当該少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、当該少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１０４】
例えば、第１のリソースユニットの時間領域リソースのサイズが第２のリソースユニットの時間領域リソースのサイズと異なるため、端末機器２０が第１のリソースユニットの時間領域リソースの情報を取得した後に、第１のリソースユニットの時間領域リソースのサイズと第２のリソースユニットの時間領域リソースのサイズを比較し、時間領域リソースがより大きいリソースユニットの時間領域リソースのサイズを当該参照信号リソースの時間領域リソースのサイズとして決定する。また、端末機器２０が第１のリソースユニットの周波数領域リソースの情報を取得した後に、第１のリソースユニットの周波数領域リソースのサイズと第２のリソースユニットの周波数領域リソースのサイズを比較し、周波数領域リソースがより大きいリソースユニットの周波数領域リソースのサイズを当該参照信号リソースの周波数領域リソースのサイズとして決定する。例えば、図５に示すように、第１のリソースユニットの周波数領域リソースのサイズは１５ｋＨｚであり、時間領域リソースのサイズは７１．３６ｕｓであり、第２のリソースユニットの周波数領域リソースのサイズは３０ｋＨｚであり、時間領域リソースのサイズは３５．６８ｕｓである。したがって、端末機器２０が決定した参照信号リソースの周波数領域リソースのサイズは３０ｋＨｚであり、時間領域リソースのサイズは７１．３６ｕｓである。当然ながら、ここで参照信号リソースの周波数領域リソースのサイズはｎ×３０ｋＨｚとし、時間領域リソースのサイズはｍ×７１．３６ｕｓとすることもでき、ｎおよびｍはともに偶数である。これに関して本発明の実施例では、異なるセルが送信する参照信号の使用する参照信号リソースが時間−周波数においてアライメントされるということさえ満たしていれば、特に限定しない。
【０１０５】
形態２において、端末機器２０は、少なくとも１つの第２のセルにおけるそれぞれの第２のセルのネットワーク機器から、対応するセルのリソースユニットの時間−周波数リソース情報をそれぞれ受信するか、または第１のセルのネットワーク機器１０は、その他のセルのリソースユニットの時間−周波数リソース情報を特定し、且つ端末機器２０に第１のリソースユニットおよび少なくとも１つの第２のリソースユニットの時間−周波数リソース情報を送信し、端末機器２０が複数のリソースユニットの時間−周波数リソース情報を受信した後に、複数のリソースユニットから、時間領域リソースが最大であるリソースユニットの時間領域リソースのサイズを選択して参照信号リソースの時間領域リソースのサイズとし、且つ周波数領域リソースが最大であるリソースユニットの周波数領域リソースのサイズを選択して参照信号リソースの時間領域リソースのサイズとする。
【０１０６】
例えば、互いに隣接するｎ個のセルが存在し、ｎ個の基本パラメータセットに対応し、これらｎ個の基本パラメータセットにおける少なくとも２つの基本パラメータセットは異なり、対応するサブキャリア幅（ｓｕｂｃａｒｒｉｅｒ  ｓｐａｃｉｎｇ）、およびシンボル長とサイクリックプレフィックス長との和がそれぞれ（Ｆ１，Ｔ１）、（Ｆ２，Ｔ２）…（Ｆｎ，Ｔｎ）である場合に、ステップ４５０の形態２において、端末機器２０が決定する参照信号リソースの周波数領域リソースのサイズおよび時間領域リソースのサイズはそれぞれ、Ｆ（ＣＳＩ−ＲＳ）＝Ｍａｘ（Ｆ１…Ｆｎ）、Ｔ（ＣＳＩ−ＲＳ）＝Ｍａｘ（Ｔ１…Ｔｎ）という関係を満たす。ここで、Ｆ（ＣＳＩ−ＲＳ）は参照信号リソースの周波数領域の幅であり、Ｔ（ＣＳＩ−ＲＳ）は参照信号リソースの時間領域の幅であり、Ｍａｘ（ｘ）は、挙げられるパラメータのうちの最大値である。上記の関係により、ネットワーク機器１０は、セルエッジにおける端末機器２０が測定すべき異なるリソースユニットの時間−周波数リソース情報リストをブロードキャストするだけで、端末機器２０が上記の関係に基づき参照信号リソースの時間−周波数リソースを推定することができる。
【０１０７】
なお、端末機器２０が参照信号リソースを決定する形態は、上記形態１および形態２の他に、ネットワーク機器１０が端末機器２０にネットワーク機器１０が既に決定した参照信号リソースのリソース情報を送信し、端末機器２０が、ネットワーク機器１０が送信する当該参照信号リソースのリソース情報を受信した後に、直接当該リソース情報により指示された時間−周波数リソースにおいて、ネットワーク機器１０が送信する参照信号を受信するようにすることもできる。
【０１０８】
なお、本発明の実施例では、端末機器２０が第１のリソースユニットを決定する前に、ネットワーク機器１０は、第１のセルの使用する第１の基本パラメータセットおよび少なくとも１つの第２のセルの使用する少なくとも１つの第２の基本パラメータセットの情報を端末機器２０に送信することにより、端末機器２０が当該第１の基本パラメータセットおよび少なくとも１つの第２の基本パラメータセットに基づき第１のリソースユニットを決定するようにしてもよい。
【０１０９】
当然ながら、ネットワーク機器１０が端末機器２０に複数のセルの使用する異なる基本パラメータセットのリストをブロードキャストすることにより、端末機器２０は、これら複数の基本パラメータセットにおいて、最大であるサブキャリアの間隔または最大であるサブキャリアの間隔の偶数倍を参照信号リソースの周波数領域リソースのサイズとして決定し、シンボル長とサイクリックプレフィックス長との和の最大値、またはシンボル長とサイクリックプレフィックス長との和の最大値の偶数倍を当該参照信号リソースの時間領域リソースのサイズとして決定するようにしてもよい。
ステップ４４０：ネットワーク機器１０が、当該参照信号リソースにおいて端末機器２０に参照信号を送信する。
ネットワーク機器が参照信号リソースを決定した後に、当該参照リソースにおいて端末機器２０に参照信号を送信する。これと同時に、その他のセルのネットワーク機器、例えば第２のセルのネットワーク機器３０が端末機器２０に参照信号を送信することもできる。ＣｏＭＰをサポートするセルの場合に、第２のセルは第１のセルに隣接するセルとすることができる。この場合に、端末機器２０はネットワーク機器１０およびネットワーク機器３０が送信する参照信号を同時に受信することにより、当該参照信号を利用して各セルからの参照信号および干渉の強度を測定することができる。例えば、図５に示すように、第１のセルエッジの端末機器２０は第２のセルの干渉が存在する時のチャネル品質を測定することができる。
【０１１０】
端末機器２０は、ステップ４６０の２種の形態により参照信号リソースを決定した後に、ステップ４７０を実行する。
【０１１１】
ステップ４７０：端末機器２０が当該参照信号リソースにおいて、ネットワーク機器１０が送信する当該参照信号を受信する。
【０１１２】
また、その他のセルのネットワーク機器、例えば、図１に示す第２のセルのネットワーク機器３０が端末機器２０に参照信号を送信することもできる。この時に、端末機器２０はネットワーク機器１０およびネットワーク機器３０が送信する参照信号を同時に受信することにより、この２つの参照信号を利用してチャネル品質を測定することができる。図５に示すように、第１のセルエッジの端末機器２０は、第２のセルの干渉が存在する時のチャネル品質を測定することができる。
【０１１３】
本発明の実施例では、参照信号がゼロ電力参照信号または非ゼロ電力参照信号を含んでもよい。
【０１１４】
端末機器２０がネットワーク機器１０から受信した参照信号が非ゼロ電力参照信号であり、端末機器２０がネットワーク機器３０から受信した参照信号も非ゼロ電力参照信号である場合に、第１のセルの端末機器２０は第２のセルの干渉が存在する時のチャネル品質を測定することができる。端末機器２０がネットワーク機器１０から受信した参照信号が非ゼロ電力参照信号であり、端末機器２０がネットワーク機器３０から受信した参照信号もゼロ電力参照信号である場合に、第１のセルの端末機器２０は第２のセルの干渉が存在しない時のチャネル品質を測定することができる。
【０１１５】
本発明の実施例の方法によれば、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【０１１６】
なお、本発明の実施例では、ネットワーク機器１０と端末機器２０の間での参照信号の伝送を例として説明しており、且つ、第１のセルの端末機器２０に干渉を与えるセルとして第２のセルだけを示しているが、本発明の実施例による参照信号の伝送方法は、複数のセルの間にも用いることができ、各セルのネットワーク機器および端末機器はいずれも本発明の実施例の方法に従って、参照信号リソースを決定し、且つ当該参照信号伝送リソースにおいて当該参照信号を伝送することができる。
【０１１７】
且つ、第１のセルのある隣接するセルにおけるネットワーク機器が端末機器２０に送信する参照信号が非ゼロ電力参照信号である場合に、端末機器２０は当該セルの干渉が存在する時のチャネル品質を測定することができ、当該セルのネットワーク機器が端末機器２０に送信する参照信号がゼロ電力参照信号である場合に、端末機器２０は当該セルの干渉が存在しない時のチャネル品質を測定することができる。
【０１１８】
また、端末機器２０は複数の非ゼロ電力参照信号を受信することにより、当該複数のセルが同時に干渉を与える時のチャネル品質を測定することもできる。
【０１１９】
一つの実施形態において、前記方法がさらに、ネットワーク機器１０が、当該参照信号リソースの時間領域における分布周期と、前記参照信号リソースの周波数領域における分布周期とを含む設定情報を決定するステップと、ネットワーク機器１０が前記端末機器２０に前記設定情報を送信するステップとを含む。
【０１２０】
この場合に、端末機器２０が、当該参照信号リソースにおいて、ネットワーク機器１０が送信する参照信号を受信することは、端末機器２０が当該設定情報に基づき、周期的に分布する複数の当該参照信号リソースにおいて、ネットワーク機器１０が送信する前記参照信号を受信することを含む。
【０１２１】
なお、当該参照信号リソースの時間領域における分布周期は、当該参照信号の時間領域における密度と呼ぶこともでき、当該参照信号リソースの周波数領域における分布周期は、当該参照信号の周波数領域における密度と呼ぶこともできる。例えば、図２（ａ）、図２（ｂ）および図（３）に示す参照信号リソースは、周波数領域において周期的に分布し、当該参照信号の周波数領域における分布周期は、４つのリソースユニットの周波数領域リソースのサイズに等しく、すなわち周波数領域において、３つのリソースユニットの間隔ごとに参照信号を送信する。または、当該参照信号を特定のサブフレームにおいて送信するよう設定することもできる。
【０１２２】
なお、本発明の実施例では、参照信号がチャネル品質測定用参照信号ＣＳＩ−ＲＳ、セル固有参照信号ＣＲＳおよび復調用参照信号ＤＭＲＳなどの下りリンク参照信号を伝送するために用いることができ、またサウンディング参照信号ＳＲＳ、上りリンクＤＭＲＳなどの上りリンク参照信号を伝送するために用いることもできる。
【０１２３】
且つ、本発明の実施例では、複数のセル間の干渉が、異なる基本パラメータセット間の干渉をさらに含み、本発明の実施例による参照信号の伝送方法は、受信端が異なる基本パラメータセットによる干渉を推定することを助けることもできる。
【０１２４】
なお、本発明の各種実施例では、上記各プロセスの番号で実行される順番を示すものではなく、各プロセスが実行される順番は、その機能および内部倫理によって決まり、本発明の実施例を実施するプロセスに対して一切限定を加えるものではない。
【０１２５】
上記内容は、本発明の実施例によるデータ伝送方法を詳しく説明しており、以下に本発明の実施例によるネットワーク機器および端末機器を説明する。なお、本発明の実施例によるネットワーク機器と端末機器は、上記本発明の実施例による各種の方法を実行することができ、すなわち以下に記載の各種機器の具体的な動作プロセスは、上記方法に関する実施例の対応するプロセスを参照することができる。
【０１２６】
図８は、本発明の実施例によるネットワーク機器８００の構造を示すブロック図である。図８によると、当該ネットワーク機器８００は、決定モジュール８０１と、送信モジュール８０２とを含み、
決定モジュール８０１は、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、
前記第１のリソースユニットおよび前記少なくとも１つの第２のリソースユニットにおいて、時間領域リソースが最大であるリソースユニット、および周波数領域リソースが最大であるリソースユニットを決定し、
前記時間領域リソースが最大であるリソースユニット、および前記周波数領域リソースが最大であるリソースユニットに基づき、参照信号リソースを決定し、
送信モジュール８０２は、前記参照信号リソースにおいて端末機器に参照信号を送信する。
【０１２７】
したがって、ネットワーク機器は、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【０１２８】
一つの実施形態において、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１２９】
一つの実施形態において、決定モジュール８０１が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１３０】
一つの実施形態において、決定モジュール８０１がさらに、前記第１のリソースユニットに対応し、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定し、送信モジュール８０２が前記端末機器に前記リソースパラメータを送信する。
【０１３１】
一つの実施形態において、送信モジュール８０２がさらに、前記端末機器に前記第１のリソースユニットの時間−周波数リソースの情報、および／または前記少なくとも１つの第２のリソースユニットの時間−周波数リソースの情報を送信する。
【０１３２】
一つの実施形態において、決定モジュール８０１がさらに、前記参照信号リソースの時間領域における分布周期と、前記参照信号リソースの周波数領域における分布周期とを含む設定情報を決定し、送信モジュール８０２がさらに、前記端末機器に前記設定情報を送信する。
【０１３３】
一つの実施形態において、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１３４】
一つの実施形態において、前記参照信号がゼロ電力参照信号または非ゼロ電力参照信号を含む。
【０１３５】
一つの実施形態において、前記ネットワーク機器がセル間協調送受信ＣｏＭＰに用いられ、前記第２のセルが前記第１のセルに隣接するセルである。
【０１３６】
なお、本発明の実施例では、決定モジュール８０１はプロセッサにより実施することができ、伝送モジュール８０２は受送信機により実施することができる。図９に示すように、ネットワーク機器９００は、プロセッサ９０１と、受送信機と、メモリ９０４とを含む。なお、受送信機は、受信器９０２と、送信器９０３とを含み、メモリ９０４は、基本パラメータおよびフィルタリングの方式などの関連情報を記憶することができ、プロセッサ９０１により実行されるコードなどを記憶することもできる。ネットワーク機器９００における各部品は、バスシステム９０５により接続される。バスシステム９０５は、データバスの他に、電源バス、制御バスおよび状態信号バスなども含む。
【０１３７】
なお、プロセッサ９０１は、前記第１のセルに対応する第１のリソースユニット、および少なくとも１つの第２のセルに対応する少なくとも１つの第２のリソースユニットを決定し、前記第１のリソースユニットの時間−周波数リソースのサイズは、前記少なくとも１つの第２のリソースユニットの時間−周波数リソースのサイズと異なり、
前記第１のリソースユニットおよび前記少なくとも１つの第２のリソースユニットにおいて、時間領域リソースが最大であるリソースユニット、および周波数領域リソースが最大であるリソースユニットを決定し、
前記時間領域リソースが最大であるリソースユニット、および前記周波数領域リソースが最大であるリソースユニットに基づき、参照信号リソースを決定し、
送信器９０３は、前記参照信号リソースにおいて端末機器に参照信号を送信する。
【０１３８】
一つの実施形態において、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１３９】
一つの実施形態において、プロセッサ９０１が、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１４０】
一つの実施形態において、プロセッサ９０１がさらに、前記第１のリソースユニットに対応し、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定し、送信器９０３が、前記端末機器に前記リソースパラメータを送信する。
【０１４１】
一つの実施形態において、送信器９０３がさらに、前記端末機器に前記第１のリソースユニットの時間−周波数リソースの情報、および／または前記少なくとも１つの第２のリソースユニットの時間−周波数リソースの情報を送信する。
【０１４２】
一つの実施形態において、プロセッサ９０１がさらに、前記参照信号リソースの時間領域における分布周期と、前記参照信号リソースの周波数領域における分布周期とを含む設定情報を決定し、送信器９０３がさらに、前記端末機器に前記設定情報を送信する。
【０１４３】
一つの実施形態において、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１４４】
一つの実施形態において、前記参照信号がゼロ電力参照信号または非ゼロ電力参照信号を含む。
【０１４５】
一つの実施形態において、前記ネットワーク機器がセル間協調送受信ＣｏＭＰに用いられ、前記第２のセルが前記第１のセルに隣接するセルである。
【０１４６】
図１０は、本発明の実施例におけるシステムチップの構造を示す概略図である。図１０によると、システムチップ１０００は、入力インタフェース１００１と、出力インタフェース１００２と、少なくとも１つのプロセッサ１００３と、メモリ１００４とを含み、入力インタフェース１００１、出力インタフェース１００２、プロセッサ１００３およびメモリ１００４はバス１００５によって接続される。プロセッサ１００３は、メモリ１００４に記憶されるコードを実行し、前記コードが実行される時に、プロセッサ１００３により、図４〜図７によるネットワーク機器１０が実行する方法を実現する。
【０１４７】
図８に示すネットワーク機器８００、図９に示すネットワーク機器９００、または図１０に示すシステムチップ１０００は、前記図４〜図７の方法に関する実施例でネットワーク機器１０により実行される各プロセスを実現することができる。重複を避けるために、ここにおいて詳細な説明を省略する。
【０１４８】
図１１は、本発明の実施例による端末機器１１００の構造を示す概略的なブロック図である。図１１によると、端末機器１１００は、決定モジュール１１０１と、受信モジュール１１０２とを含み、
決定モジュール１１０１は、第１のセルに対応する第１のリソースユニットを決定し、
前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、
受信モジュール１１０２は、前記参照信号リソースにおいて、前記第１のセルのネットワーク機器が送信する参照信号を受信する。
【０１４９】
したがって、端末機器は、異なるセルの使用する異なる基本パラメータセットに基づき、異なるセルの異なるリソースユニットにより、参照信号を伝送するための参照信号リソースを決定して、異なるセルの参照信号を伝送するための参照信号リソースを時間領域および周波数領域においてそれぞれアライメントさせることにより、異なる基本パラメータセットに基づく参照信号の伝送という課題を解決することができる。
【０１５０】
一つの実施形態において、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１５１】
一つの実施形態において、決定モジュール１１０１が前記第１のリソースユニットに基づき、参照信号リソースを決定する前に、受信モジュール１１０２はさらに、前記ネットワーク機器が送信する前記第１のリソースユニットに対応し、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含むリソースパラメータを受信し、
決定モジュール１１０１が、前記第１のリソースユニットの時間領域リソースのサイズと前記第１の比値の積を前記参照信号リソースの時間領域リソースのサイズとして決定し、且つ前記第１のリソースユニットの周波数領域リソースのサイズと前記第２の比値との積を前記参照信号リソースの周波数領域リソースのサイズとして決定する。
【０１５２】
一つの実施形態において、決定モジュール１１０１が第１のセルに対応する第１のリソースユニットを決定する前に、受信モジュール１１０２がさらに、前記ネットワーク機器が送信する前記少なくとも１つの第２のリソースユニットの時間−周波数リソースの情報を受信し、
決定モジュール１１０１が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定し、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１５３】
一つの実施形態において、受信モジュール１１０２がさらに、前記ネットワーク機器が送信する、前記参照信号リソースの時間領域における分布周期と前記参照信号リソースの周波数領域における分布周期とを含む設定情報を受信し、前記設定情報に基づき、周期的に分布する複数の前記参照信号リソースにおいて、前記ネットワーク機器が送信する前記参照信号を受信する。
【０１５４】
一つの実施形態において、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１５５】
一つの実施形態において、前記参照信号がゼロ電力参照信号または非ゼロ電力参照信号を含む。
【０１５６】
一つの実施形態において、前記端末機器がセル間協調送受信ＣｏＭＰに用いられ、前記第２のセルが前記第１のセルに隣接するセルである。
【０１５７】
なお、本発明の実施例では、決定モジュール１１０１はプロセッサにより実現することができ、伝送モジュール１１０２は受送信機により実現することができる。図１２に示すように、端末機器１２００は、プロセッサ１２０１、受送信機と、メモリ１２０４とを含む。受送信機は、受信器１２０２と、送信器１２０３とを含み、メモリ１２０４は、基本パラメータセット、ガードバンドおよびフィルタリングの方式などの関連情報を記憶することができ、プロセッサ１２０１により実行されるコードなどを記憶することもできる。ネットワーク機器１２００における各部品は、バスシステム１２０５によって接続される。バスシステム１２０５は、データバスの他に、電源バス、制御バスおよび状態信号バスなども含む。
【０１５８】
プロセッサ１２０１は、第１のセルに対応する第１のリソースユニットを決定し、前記第１のリソースユニットに基づき、参照信号リソースを決定し、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、
受信器１２０２は、前記参照信号リソースにおいて、前記第１のセルのネットワーク機器が送信する参照信号を受信する。
【０１５９】
一つの実施形態において、前記第１のリソースユニットの時間領域リソースのサイズが、前記第１のセルの使用する基本パラメータセットにおけるシンボル長とサイクリックプレフィックス長との和に等しく、および／または、前記第１のリソースユニットの周波数領域リソースのサイズが、前記第１のセルの使用する基本パラメータセットにおけるサブキャリアの間隔のサイズに等しく、前記少なくとも１つの第２のリソースユニットにおけるそれぞれの第２のリソースユニットの時間領域リソースのサイズが、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズが、それぞれに対応するセルの使用する基本パラメータセットにおけるサブキャリアの間隔に等しい。
【０１６０】
一つの実施形態において、プロセッサ１２０１が前記第１のリソースユニットに基づき、参照信号リソースを決定する前に、受信器１２０２はさらに、前記ネットワーク機器が送信する前記第１のリソースユニットに対応し、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含むリソースパラメータを受信し、
プロセッサ１２０１が、前記第１のリソースユニットの時間領域リソースのサイズと前記第１の比値の積を前記参照信号リソースの時間領域リソースのサイズとして決定し、且つ前記第１のリソースユニットの周波数領域リソースのサイズと前記第２の比値との積を前記参照信号リソースの周波数領域リソースのサイズとして決定する。
【０１６１】
一つの実施形態において、プロセッサ１２０１が第１のセルに対応する第１のリソースユニットを決定する前に、受信器１２０２がさらに、前記ネットワーク機器が送信する前記少なくとも１つの第２のリソースユニットの時間−周波数リソースの情報を受信し、
プロセッサ１２０１が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定し、前記時間領域リソースが最大であるリソースユニットの時間領域リソースのサイズを前記参照信号リソースの時間領域リソースのサイズとして決定し、且つ前記周波数領域リソースが最大であるリソースユニットの周波数領域リソースのサイズを前記参照信号リソースの周波数領域リソースのサイズとして決定する。
【０１６２】
一つの実施形態において、受信器１２０２がさらに、前記ネットワーク機器が送信する、前記参照信号リソースの時間領域における分布周期と前記参照信号リソースの周波数領域における分布周期とを含む設定情報を受信し、前記設定情報に基づき、周期的に分布する複数の前記参照信号リソースにおいて、前記ネットワーク機器が送信する前記参照信号を受信する。
【０１６３】
一つの実施形態において、前記参照信号がセル固有参照信号ＣＲＳ、チャネル品質測定用参照信号ＣＳＩ−ＲＳおよび復調用参照信号ＤＭＲＳのうちの少なくとも１種を含む。
【０１６４】
一つの実施形態において、前記参照信号がゼロ電力参照信号または非ゼロ電力参照信号を含む。
【０１６５】
一つの実施形態において、前記端末機器がセル間協調送受信ＣｏＭＰに用いられ、前記第２のセルが前記第１のセルに隣接するセルである。
【０１６６】
図１３は、本発明の実施例におけるシステムチップの構造を示す概略図である。図１３によると、システムチップ１３００は、入力インタフェース１３０１と、出力インタフェース１３０２と、少なくとも１つのプロセッサ１３０３と、メモリ１３０４とを含み、入力インタフェース１３０１、出力インタフェース１３０２、プロセッサ１３０３およびメモリ１３０４はバス１３０５によって接続される。プロセッサ１３０３は、前記メモリ１３０４に記憶されるコードを実行し、前記コードが実行される時に、プロセッサ１３０３により、図４〜図７による端末機器２０により実行される方法を実現する。
【０１６７】
図１１に示す端末機器１１００、図１２に示す端末機器１２００、または図１３に示すシステムチップ１３００は、図４〜図７の前記方法に関する実施例で端末機器２０により実行される各プロセスを実現することができる。重複を避けるために、ここにおいて詳細な説明を省略する。
【０１６８】
本発明の実施例において、プロセッサは、信号処理能力を備える集積回路チップとすることができる。上記方法に関する実施例の各ステップを実施するプロセスでは、プロセッサにおけるハードウェア形式の集積論理回路、またはソフトウェア形式のコマンドにより実行することができる。前記プロセッサは、汎用プロセッサ、デジタル信号プロセッサ（Ｄｉｇｉｔａｌ  Ｓｉｇｎａｌ  Ｐｒｏｃｅｓｓｏｒ、略称ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略称ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、略称ＦＰＧＡ）、またはその他のプログラマブル論理部品、論理回路もしくはトランジスタ論理部品、ハードウェアとしての論理部品とすることができ、また、本発明の実施例に開示されている各方法、各ステップおよび論理ブロック図を実現または実行することができる。そのうち汎用プロセッサは、マイクロプロセッサ、または任意の一般的なプロセッサ等とすることができる。本発明の実施例に開示されている方法のステップは、ハードウェアとしてのデコードプロセッサにより実行されるものであってもよいが、またはデコードプロセッサにおけるハードウェアおよびソフトウェアモジュールの組み合わせにより実行されるものであってもよい。そのうちソフトウェアモジュールは、ランダムアクセスメモリ、フラッシュメモリ、読み出し専用メモリ、プログラマブル読み出し専用メモリ、または電気的消去可能プログラマブルメモリ、レジスタなど当該分野の成熟する技術としての記憶媒体に設けることができる。前記記憶媒体はメモリに設けられ、プロセッサがメモリに記憶される情報を読み込んでそのハードウェアと協働して上記方法のステップを実行する。
【０１６９】
本発明の実施例において、前記メモリは、揮発性メモリもしくは不揮発性メモリ、または揮発性メモリと不揮発性メモリの組み合わせとすることができる。そのうち、不揮発性メモリは、読み出し専用メモリ（Ｒｅａｄ−Ｏｎｌｙ  Ｍｅｍｏｒｙ、略称ＲＯＭ）、プログラマブル読み出し専用メモリ（Ｐｒｏｇｒａｍｍａｂｌｅ  ＲＯＭ、略称ＰＲＯＭ）、消去可能プログラマブル読み出し専用メモリ（Ｅｒａｓａｂｌｅ  ＰＲＯＭ、略称ＥＰＲＯＭ）、電気的消去可能プログラマブル読み出し専用メモリ（Ｅｌｅｃｔｒｉｃａｌｌｙ  ＥＰＲＯＭ、略称ＥＥＰＲＯＭ）、またはフラッシュメモリとすることができる。そのうち揮発性メモリは、ランダムアクセスメモリ（Ｒａｎｄｏｍ  Ａｃｃｅｓｓ  Ｍｅｍｏｒｙ、略称ＲＡＭ）とすることができ、外部キャッシュメモリとして使用する。限定を加えるためではなく例示的に示すが、さまざまな形式のＲＡＭ、例えばスタティックランダムアクセスメモリ（Ｓｔａｔｉｃ  ＲＡＭ、略称ＳＲＡＭ）、ダイナミックランダムアクセスメモリ（Ｄｙｎａｍｉｃ  ＲＡＭ、略称ＤＲＡＭ）、同期ダイナミックランダムアクセスメモリ（Ｓｙｎｃｈｒｏｎｏｕｓ  ＤＲＡＭ、略称ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、略称ＤＤＲ  ＳＤＲＡＭ）、拡張型同期ダイナミックランダムアクセスメモリ（Ｅｎｈａｎｃｅｄ  ＳＤＲＡＭ、略称ＥＳＤＲＡＭ）、同期リンクダイナミックランダムアクセスメモリ（Ｓｙｎｃｈｌｉｎｋ  ＤＲＡＭ、略称ＳＬＤＲＡＭ）およびダイレクトラムバスランダムアクセスメモリ（Ｄｉｒｅｃｔ  Ｒａｍｂｕｓ  ＲＡＭ、略称ＤＲ  ＲＡＭ）を使用することができる。なお、本明細書に記載されるシステムおよび方法において、前記メモリは、上記メモリやその他の如何なるタイプのメモリも含み、なお且つこれらに限定されない。
【０１７０】
さらに、本明細書では、用語「システム」および「ネットワーク」は置き換えて用いることができる。本明細書に用いる「且つ（および）／または」という用語は、関連対象の相関関係を説明するものであり、３種類の関係が存在することを表す。例えば、Ａ且つ（および）／またはＢは、Ａが単独で存在する場合、ＡおよびＢが同時に存在する場合、Ｂが単独で存在する場合を表すことができる。なお、本明細書に用いる「／」という符号は一般的に、それによって繋がる対象が「または」という関係にあることを表す。
【０１７１】
本発明の実施例において、「Ａに対応するＢ」とはＢがＡに関連し、Ａに基づきＢを決定することができるという意味である。なお、Ａに基づきＢを決定するということは、Ａだけに基づきＢを決定するのみではなく、Ａおよび／またはその他の情報に基づきＢを決定することもできる。
【０１７２】
当業者に自明なように、本明細書に開示されている実施例に記載の各例示的なユニットやアルゴリズムおよびステップは、電子ハードウェア、または電子ハードウェアおよびコンピュータソフトウェアの組み合わせにより実施することができる。これらの機能をハードウェアで実行するか、ソフトウェアで実行するかは、該当発明の特定の用途および設計上の制限条件により決まる。当業者であれば、特定の用途ごとに異なる方法を用いて該当機能を実施することができ、このような実施は、本開示の範囲を逸脱するものではない。
【０１７３】
当業者に自明なように、本項において説明されるシステム、機器およびユニットの具体的な動作プロセスについては、上記方法に関する実施例の対応するプロセスを参照することができるため、説明の都合上、ここにおいて詳細な説明が省略される。
【０１７４】
なお、本開示のいくつかの実施例に開示されているシステム、機器および方法は、その他の形態により実施することもできる。例えば、本項において説明される装置に関する実施例は、例示的なものに過ぎない。例えば、上記に記載のとおりユニットを設定しているのは、論理機能上の分割に過ぎず、実施する際に別の形態で分割することもでき、例えば、複数のユニットまたは部品を別のシステムに組み合わせもしくは集積させたり、または一部の特徴を反映させず、実行しなかったりしてもよい。また、本項に記載または説明される直接的な接続または通信接続など部品間の接続は、いくつかのインタフェース、装置またはユニットを用いる間接的接続または通信接続とすることもでき、電気的形態、機械的形態またはその他の形態とすることもできる。
【０１７５】
前記分離される部品として説明されるユニットは、物理的に分離されるものでもよければ、分離されないものであってもよい。ユニットとして示される部品は、物理的なユニットであってもよいが、物理的なユニットでなくてもよい。すなわち、同一の場所に設けられるものであってもよいが、複数のネットワークユニットに配置されるものであってもよい。必要に応じて、一部のユニットだけを用いるか、または全てのユニットを使用して本実施例に係る発明の目的を達成することができる。
【０１７６】
また、本発明の実施例において、各機能ユニットが１つの処理ユニットに集積されてもよいが、各ユニットが単独で物理的な部品として存在するか、または２つ以上のユニットが１つのユニットに集積されてもよい。
【０１７７】
上記機能は、ソフトウェアの機能ユニットの形で実施され、且つ独立する製品として販売または使用する場合に、コンピュータ読み取り可能な記憶媒体に記憶することができる。これにより、本発明に係る発明の趣旨、すなわち従来技術に対して貢献する発明または当該発明の一部は、ソフトウェア製品の形で実施ことができる。当該コンピュータソフトウェア製品は、記憶媒体に記憶され、且つ、コンピュータデバイス（パソコン、サーバ、またはネットワーク機器など）に本発明の各実施例による方法の全てのステップまたはその一部を実行させるためのいくつかのコマンドを含む。前記記憶媒体は、ＵＳＢフラッシュドライブ、モバイルハードディスク、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスクまたはコンパクトディスクなど、プロクラムコードを記憶可能なさまざまな媒体を含む。
【０１７８】
本明細書に記載される内容は、本発明の具体的な実施形態に過ぎず、本発明の保護範囲はこれに限定されない。当業者が本発明に開示される技術範囲において容易に想到し得る変更や置換などは、いずれも本発明の保護範囲に含まれる。これにより、本発明の保護範囲は、特許請求の範囲に記載の内容に準拠する。
【手続補正２】
【補正対象書類名】特許請求の範囲
【補正対象項目名】全文
【補正方法】変更
【補正の内容】
【特許請求の範囲】
【請求項１】
参照信号の伝送方法であって、
第１のセルのネットワーク機器が、第１のセルに対応する第１のリソースユニット、および少なくとも１つの第２のセルに対応する少なくとも１つの第２のリソースユニットを決定するステップを含み、前記第１のリソースユニットの時間−周波数リソースのサイズは、前記少なくとも１つの第２のリソースユニットの時間−周波数リソースのサイズと異なり、
前記ネットワーク機器が、前記第１のリソースユニットおよび前記少なくとも１つの第２のリソースユニットにおいて、時間領域リソースが最大であるリソースユニット、および周波数領域リソースが最大であるリソースユニットを決定するステップと、
前記ネットワーク機器が、前記時間領域リソースが最大であるリソースユニットおよび前記周波数領域リソースが最大であるリソースユニットに基づき、参照信号リソースを決定するステップと、
前記ネットワーク機器が、前記参照信号リソースにおいて端末機器に参照信号を送信するステップとを含む、
ことを特徴とする参照信号の伝送方法。
【請求項２】
前記第１のリソースユニットの時間領域リソースのサイズは、前記第１のセルの使用する基本パラメータセットにおけるシンボル長とサイクリックプレフィックス長との和に等しく、および／または、前記第１のリソースユニットの周波数領域リソースのサイズは、前記第１のセルの使用する基本パラメータセットにおけるサブキャリアの間隔のサイズに等しく、
前記少なくとも１つの第２のリソースユニットにおけるそれぞれの第２のリソースユニットの時間領域リソースのサイズは、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい、
ことを特徴とする請求項１に記載の方法。
【請求項３】
前記ネットワーク機器が、前記時間領域リソースが最大であるリソースユニットおよび前記周波数領域リソースが最大であるリソースユニットに基づき、参照信号リソースを決定する前記ステップは、
前記ネットワーク機器が、前記時間領域リソースが最大であるリソースユニットの時間領域リソースのサイズを前記参照信号リソースの時間領域リソースのサイズとして決定し、前記周波数領域リソースが最大であるリソースユニットの周波数領域リソースのサイズを前記参照信号リソースの周波数領域リソースのサイズとして決定することを含む、
ことを特徴とする請求項１または２に記載の方法。
【請求項４】
前記方法はさらに、
ネットワーク機器が、前記第１のリソースユニットに対応する、前記参照信号リソースの時間領域リソースのサイズと前記第１のリソースユニットの時間領域リソースのサイズとの比値と、前記参照信号リソースの周波数領域リソースのサイズと前記第１のリソースユニットの周波数領域リソースのサイズとの比値とを含むリソースパラメータを決定するステップと、
前記ネットワーク機器が、前記端末機器に前記リソースパラメータを送信するステップとを含む、
ことを特徴とする請求項１〜３のいずれか１項に記載の方法。
【請求項５】
前記方法はさらに、
前記ネットワーク機器が、前記端末機器に前記第１のリソースユニットの時間−周波数リソースの情報、および／または前記少なくとも１つの第２のリソースユニットの時間−周波数リソースの情報を送信するステップを含む、
ことを特徴とする請求項１〜４のいずれか一項に記載の参照信号の伝送方法。
【請求項６】
参照信号の伝送方法であって、
端末機器が、第１のセルに対応する第１のリソースユニットを決定するステップと、
前記端末機器が前記第１のリソースユニットに基づき、参照信号リソースを決定するステップとを含み、前記参照信号リソースの時間領域リソースのサイズは、前記第１のリソースユニットおよび少なくとも１つの第２のリソースユニットにおける時間領域リソースが最大であるリソースユニットの時間領域リソースのサイズに等しく、または前記時間領域リソースが最大であるリソースユニットの時間領域リソースのサイズの偶数倍に等しく、前記参照信号リソースの周波数領域リソースのサイズは、前記第１のリソースユニットおよび少なくとも１つの第２のリソースユニットにおける周波数領域リソースが最大であるリソースユニットの周波数領域リソースのサイズに等しく、または前記周波数領域リソースが最大であるリソースユニットの周波数領域リソースのサイズの偶数倍に等しく、前記少なくとも１つの第２のリソースユニットは、少なくとも１つの第２のセルに対応するリソースユニットであり、
前記端末機器が前記参照信号リソースにおいて、前記第１のセルのネットワーク機器が送信した参照信号を受信するステップを含む、ことを特徴とする参照信号の伝送方法。
【請求項７】
前記第１のリソースユニットの時間領域リソースのサイズは、前記第１のセルの使用する基本パラメータセットにおけるシンボル長とサイクリックプレフィックス長との和に等しく、および／または、前記第１のリソースユニットの周波数領域リソースのサイズは、前記第１のセルの使用する基本パラメータセットにおけるサブキャリアの間隔のサイズに等しく、
前記少なくとも１つの第２のリソースユニットにおけるそれぞれの第２のリソースユニットの時間領域リソースのサイズは、それぞれに対応するセルの使用する基本パラメータセットにおけるシンボル長とサイクリックプレフィックス長との和に等しく、および／または、前記少なくとも１つの第２のリソースユニットにおけるそれぞれの第２のリソースユニットの周波数領域リソースのサイズは、それぞれに対応するセルの使用する基本パラメータセットにおけるサブキャリアの間隔に等しい、ことを特徴とする請求項６に記載の方法。
【請求項８】
前記端末機器が前記第１のリソースユニットに基づき、参照信号リソースを決定する前に、前記方法はさらに、前記端末機器が、前記ネットワーク機器が送信した前記第１のリソースユニットに対応するリソースパラメータを受信するステップを含み、
前記リソースパラメータは、前記参照信号リソースの時間領域リソースのサイズと前記第１のリソースユニットの時間領域リソースのサイズとの第１の比値と、前記参照信号リソースの周波数領域リソースのサイズと前記第１のリソースユニットの周波数領域リソースのサイズとの第２の比値とを含み、
前記端末機器が前記第１のリソースユニットに基づき、参照信号リソースを決定する前記ステップは、前記端末機器が、前記第１のリソースユニットの時間領域リソースのサイズと前記第１の比値との積を前記参照信号リソースの時間領域リソースのサイズとして決定し、前記第１のリソースユニットの周波数領域リソースのサイズと前記第２の比値との積を前記参照信号リソースの周波数領域リソースのサイズとして決定することを含む、
ことを特徴とする請求項６または７に記載の方法。
【請求項９】
端末機器が第１のセルに対応する第１のリソースユニットを決定する前に、前記方法はさらに、前記端末機器が、前記ネットワーク機器が送信した前記少なくとも１つの第２のリソースユニットの時間−周波数リソースの情報を受信するステップを含み、
前記端末機器が前記第１のリソースユニットに基づき、参照信号リソースを決定する前記ステップは、
前記端末機器が、前記第１のリソースユニットおよび前記少なくとも１つの第２のリソースユニットにおいて、前記時間領域リソースが最大であるリソースユニットの時間領域リソースのサイズ、および前記周波数領域リソースが最大であるリソースユニットの周波数領域リソースのサイズを決定することと、
前記端末機器が、前記時間領域リソースが最大であるリソースユニットの時間領域リソースのサイズを前記参照信号リソースの時間領域リソースのサイズとして決定し、前記周波数領域リソースが最大であるリソースユニットの周波数領域リソースのサイズを前記参照信号リソースの周波数領域リソースのサイズとして決定することとを含む、
ことを特徴とする請求項６または７に記載の方法。
【請求項１０】
前記方法はさらに、前記端末機器が、前記ネットワーク機器が送信した設定情報を受信するステップを含み、前記設定情報は、前記参照信号リソースの時間領域における分布周期と前記参照信号リソースの周波数領域における分布周期とを含み、
前記端末機器が前記参照信号リソースにおいて、前記ネットワーク機器が送信した参照信号を受信する前記ステップは、前記端末機器が前記設定情報に基づき、周期的に分布する複数の前記参照信号リソースにおいて、前記ネットワーク機器が送信した前記参照信号を受信することを含む、ことを特徴とする請求項６〜９のいずれか１項に記載の方法。
【請求項１１】
前記参照信号は、セル固有参照信号ＣＲＳ、チャネル品質測定用参照信号ＣＳＩ−ＲＳおよび復調用参照信号ＤＭＲＳのうちの少なくとも１種を含む、ことを特徴とする請求項６〜１０のいずれか１項に記載の方法。
【請求項１２】
前記参照信号は、ゼロ電力参照信号または非ゼロ電力参照信号を含む、ことを特徴とする請求項６〜１１のいずれか１項に記載の方法。
【請求項１３】
前記方法は、セル間協調送受信ＣｏＭＰに用いられ、前記第２のセルは、前記第１のセルに隣接するセルである、ことを特徴とする請求項６〜１２のいずれか１項に記載の方法。
【請求項１４】
ネットワーク機器であって、
第１のセルに位置し、
前記ネットワーク機器は、プロセッサ、受送信機およびコマンドを記憶するメモリ含み、前記受送信機は、受信器と送信器を含み、前記プロセッサは、前記コマンドを実行する時、請求項１〜５のいずれか１項に記載の参照信号の伝送方法を実行する、
ことを特徴とするネットワーク機器。
【請求項１５】
端末機器であって、
前記端末機器は、プロセッサ、受送信機およびコマンドを記憶するメモリ含み、前記受送信機は、受信器と送信器を含み、前記プロセッサは、前記コマンドを実行する時、請求項６〜１３のいずれか１項に記載の参照信号の伝送方法を実行する、
ことを特徴とする端末機器。
【手続補正３】
【補正対象書類名】図面
【補正対象項目名】全図
【補正方法】変更
【補正の内容】
【図１】
2019533320.tif 000017
【図２（ａ）】
2019533320.tif 000018
【図２（ｂ）】
2019533320.tif 000019
【図３】
2019533320.tif 000020
【図４】
2019533320.tif 000021
【図５】
2019533320.tif 000022
【図６】
2019533320.tif 000023
【図７】
2019533320.tif 000024
【図８】
2019533320.tif 000025
【図９】
2019533320.tif 000026
【図１０】
2019533320.tif 000027
【図１１】
2019533320.tif 000028
【図１２】
2019533320.tif 000029
【図１３】
2019533320.tif 000030
【国際調査報告】
2019533320.tif 000031
2019533320.tif 000032
2019533320.tif 000033
2019533320.tif 000034
2019533320.tif 000035